(57)【要約】【課題】当選した特別役の入賞を困難に制御することで特別役の入賞頻度を変化させても遊技者に対して与える損失感を軽減することができるスロットマシンを提供すること。【解決手段】ＲＴ（０）において、ＢＢ（２）またはＢＢ（３）が当選した場合には、当選したゲームでＢＢ（２）またはＢＢ（３）の入賞を制限し、次ゲーム以降に持ち越す。そしてＢＢ（２）またはＢＢ（３）が持ち越されているＲＴ（１）またはＲＴ（２）では、ハズレよりも高い確率で小役や再遊技役を当選させるとともに、ＢＢ（２）またはＢＢ（３）の持越中に小役や再遊技役が当選した場合には、当選した小役または再遊技役を優先して導出させることで、ハズレ以外では、ＢＢ（２）またはＢＢ（３）が入賞不可能とし、ＢＢ（３）持越中とＢＢ（２）持越中とで、異なる再遊技役の当選確率を適用することでＢＢの入賞確率を変化させる。【選択図】図８
2010240074.tif 000002
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出されたことにより１ゲームが終了し、前記可変表示装置に導出された表示結果に応じて入賞が発生可能とされたスロットマシンであって、
前記可変表示装置に表示結果が導出される前に遊技者にとって有利な特別遊技状態への移行を伴う特別入賞、前記遊技用価値の付与を伴う小役入賞、及び前記遊技用価値を用いずにゲームを行うことが可能な再遊技の付与を伴う再遊技入賞を含む複数種類の入賞について発生を許容するか否かを決定する事前決定手段と、
前記事前決定手段により前記特別入賞のうち第１の持越特別入賞の発生を許容する旨が決定され、該第１の持越特別入賞が発生しなかったときに、当該第１の持越特別入賞の発生を許容する旨の決定を次ゲーム以降に持ち越し、前記事前決定手段により前記特別入賞のうち前記第１の持越特別入賞とは異なる第２の持越特別入賞の発生を許容する旨が決定され、該第２の持越特別入賞が発生しなかったときに、当該第２の持越特別入賞の発生を許容する旨の決定を次ゲーム以降に持ち越す持越手段と、
前記可変表示装置に表示結果を導出させる際に操作される導出操作手段と、
前記導出操作手段が操作されたときに、前記事前決定手段の決定結果に応じて前記可変表示装置に表示結果を導出させる制御を行う導出制御手段と、
を備え、
前記事前決定手段は、前記第１の持越特別入賞の発生を許容する旨の決定及び前記第２の持越特別入賞の発生を許容する旨の決定が持ち越されていないことを条件に、新たに前記特別入賞の発生を許容する旨の決定を行うことが可能であり、
前記導出制御手段は、
前記第１の持越特別入賞の発生を許容する旨と前記小役入賞のうち前記所定の賭数を設定するのに必要な遊技用価値未満の遊技用価値の付与を伴う特定小役入賞の発生を許容する旨の双方が決定されているときまたは前記第２の持越特別入賞の発生を許容する旨と前記特定小役入賞の発生を許容する旨の双方が決定されているときに、前記導出操作手段の操作手順に関わらず前記特定小役入賞となる表示結果を必ず導出させる制御を行い、
前記第１の持越特別入賞の発生を許容する旨と前記再遊技入賞の発生を許容する旨の双方が決定されているときまたは前記第２の持越特別入賞の発生を許容する旨と前記再遊技入賞の発生を許容する旨の双方が決定されているときに、前記導出操作手段の操作手順に関わらず前記再遊技入賞となる表示結果を必ず導出させる制御を行い、
前記第１の持越特別入賞の発生を許容する旨が決定されており、かつ前記特定小役入賞の発生を許容する旨または前記再遊技入賞の発生を許容する旨が決定されていないことを条件に前記第１の持越特別入賞となる表示結果を導出可能とする制御を行い、
前記第２の持越特別入賞の発生を許容する旨が決定されており、かつ前記特定小役入賞の発生を許容する旨または前記再遊技入賞の発生を許容する旨が決定されていないことを条件に前記第２の持越特別入賞となる表示結果を導出可能とする制御を行い、
前記スロットマシンは、
いずれの入賞の発生も許容しない旨の決定よりも高い確率で前記特定小役入賞の発生を許容する旨の決定を前記事前決定手段が行うことにより、前記第１の持越特別入賞の発生を許容する旨の決定が持ち越されている場合において前記第１の持越特別入賞となる表示結果が導出可能となる確率及び前記第２の持越特別入賞の発生を許容する旨の決定が持ち越されている場合において前記第２の持越特別入賞となる表示結果が導出可能となる確率を制限するとともに、
前記第２の持越特別入賞の発生を許容する旨の決定が持ち越されている場合に、前記第１の持越特別入賞の発生を許容する旨の決定が持ち越されている場合よりも高い確率で前記事前決定手段が前記再遊技入賞の発生を許容する旨の決定を行うことにより、前記第１の持越特別入賞の発生を許容する旨の決定が持ち越されている場合において前記第１の持越特別入賞となる表示結果が導出可能となる確率よりも前記第２の持越特別入賞の発生を許容する旨の決定が持ち越されている場合において前記第２の持越特別入賞となる表示結果が導出可能となる確率を制限する
ことを特徴とするスロットマシン。
【請求項２】
前記第２の持越特別入賞の発生を許容する旨の決定が持ち越されている場合には、前記第２の持越特別入賞の発生を許容する旨の決定が持ち越されていない状態で前記事前決定手段が前記特別入賞の発生を許容する旨が単独で決定する確率が、前記再遊技入賞の発生を許容する旨の決定を行う確率に置き換わる
ことを特徴とする請求項１に記載のスロットマシン。
【請求項３】
前記導出制御手段は、前記特別入賞のうち前記第１の持越特別入賞及び前記第２の持越特別入賞とは異なる特定特別入賞の発生を許容する旨と前記特定小役入賞の発生を許容する旨の双方が決定されているときに、前記特定小役入賞となる表示結果よりも前記特定特別入賞となる表示結果を優先して導出させる制御を行う
ことを特徴とする請求項１または２に記載のスロットマシン。
【請求項４】
前記第１の持越特別入賞の発生を許容する旨の決定が持ち越されている場合と、前記第２の持越特別入賞の発生を許容する旨の決定が持ち越されている場合と、で異なる割合で特定演出を実行する特定演出実行手段を備える
ことを特徴とする請求項１〜３のいずれかに記載のスロットマシン。
【請求項５】
前記導出制御手段は、
前記第２の持越特別入賞の発生を許容する旨と前記小役入賞のうち所定小役入賞の発生を許容する旨の双方が決定されているときに、前記導出操作手段の操作手順に関わらず前記所定小役入賞となる表示結果を必ず導出させる制御を行い、
前記第２の持越特別入賞の発生を許容する旨と前記遊技用価値を用いることなくゲームを行うことが可能な再遊技の付与を伴う再遊技入賞の発生を許容する旨の双方が決定されているときに、前記導出操作手段の操作手順に関わらず前記再遊技入賞となる表示結果を必ず導出させる制御を行い、
前記スロットマシンは、前記第１の持越特別入賞の発生を許容する旨の決定及び前記第２の持越特別入賞の発生を許容する旨の決定が持ち越されていない場合において前記第２の持越特別入賞の発生を許容する旨を前記事前決定手段が決定する場合に、前記所定小役入賞の発生を許容する旨または前記再遊技入賞の発生を許容する旨のいずれかを同時に決定することにより、前記第２の持越特別入賞となる表示結果の導出を不能とする
ことを特徴とする請求項１〜４のいずれかに記載のスロットマシン。
【請求項６】
前記可変表示装置は、複数種類の図柄を変動表示可能な複数の可変表示部からなり、
前記複数の可変表示部に導出された表示結果の組合せに応じて入賞が発生可能なスロットマシンであって、
前記導出制御手段は、前記第１の持越特別入賞の発生を許容する旨または前記第２の持越特別入賞の発生を許容する旨が単独で決定されている場合に、前記導出操作手段の操作により前記複数の可変表示領域に対して特定の順番で表示結果を導出させることにより、該導出操作手段が操作されたタイミングに関わらず前記第１の持越特別入賞となる表示結果の組合せまたは前記第２の持越特別入賞となる表示結果の組合せを必ず導出させる
ことを特徴とする請求項１〜５のいずれかに記載のスロットマシン。
【請求項７】
前記事前決定手段は、前記第１の持越特別入賞の発生を許容する旨の決定及び前記第２の持越特別入賞の発生を許容する旨の決定が持ち越されていない場合に、前記第１の持越特別入賞の発生を許容する旨の決定及び前記第２の持越特別入賞の発生を許容する旨の決定よりも高い確率で前記特別入賞のうち前記第１の持越特別入賞及び前記第２の持越特別入賞とは異なる特定特別入賞の発生を許容する旨の決定を行う
ことを特徴とする請求項１〜６のいずれかに記載のスロットマシン。
【請求項８】
前記可変表示装置は、複数種類の図柄を変動表示可能な複数の可変表示部からなり、
前記複数の可変表示部に導出された表示結果の組合せに応じて入賞が発生可能なスロットマシンであって、
前記導出制御手段は、前記特別入賞のうち前記第１の持越特別入賞及び前記第２の持越特別入賞とは異なる特定特別入賞の発生を許容する旨が単独で決定されている場合に、前記導出操作手段の操作により前記複数の可変表示領域に対して所定の順番で表示結果を導出させることにより、該導出操作手段が操作されたタイミングに関わらず前記特定特別入賞となる表示結果の組合せを必ず導出させる
ことを特徴とする請求項１〜７のいずれかに記載のスロットマシン。
【請求項９】
前記事前決定手段は、前記第１の持越特別入賞の発生を許容する旨の決定及び前記第２の持越特別入賞の発生を許容する旨の決定が持ち越されていない場合に、前記特別入賞のうち前記第１の持越特別入賞及び前記第２の持越特別入賞とは異なる特定特別入賞の発生を許容する旨の決定を単独で行う
ことを特徴とする請求項１〜８のいずれかにに記載のスロットマシン。
【発明の詳細な説明】
【技術分野】
【０００１】
本発明は、各々が識別可能な複数種類の識別情報を変動表示可能な可変表示装置の表示結果に応じて所定の入賞が発生可能なスロットマシンに関する。
【背景技術】
【０００２】
スロットマシンは、一般に、外周部に識別情報としての複数種類の図柄が描かれた複数（通常は３つ）のリールを有する可変表示装置を備えており、まず遊技者のＢＥＴ操作により賭数を設定し、規定の賭数が設定された状態でスタート操作することによりリールの回転が開始し、各リールに対応して設けられた停止ボタンを操作することにより回転を停止する。そして、全てのリールの回転を停止したときに入賞ライン上に予め定められた入賞図柄の組合せ（例えば、７−７−７、以下図柄の組合せを役とも呼ぶ）が揃ったことによって入賞が発生する。すなわち遊技者の操作によってゲームが進行するようになっている。
【０００３】
これら入賞役には、遊技者にとって有利な特別遊技状態への移行を伴う特別役、メダルなどの遊技用価値の付与を伴う小役、遊技用価値を用いずにゲームを行うことが可能な再遊技の付与を伴う再遊技役などがある。これら入賞役は、スタート操作と同時に行われる役抽選に当選したことを条件に当選役の入賞が可能となるものが一般的である。
【０００４】
また、この種のスロットマシンでは、特別役が一度当選すると、当選した特別役が入賞するまで持ち越されるものがあり、さらに特別役の持越中において一定の条件が成立するまで特別役を入賞させないように制御することで、特別役の入賞頻度を意図的に変化させることが可能なものが提案されている（例えば、特許文献１参照）。
【先行技術文献】
【特許文献】
【０００５】
【特許文献１】特開２００３−１８０９４６号公報
【発明の概要】
【発明が解決しようとする課題】
【０００６】
特許文献１に記載のスロットマシンでは、特別役が当選した後、高確率再遊技期間に制御し、この間は、再遊技役の当選確率が高くなり、かつ再遊技役に当選した場合には、特別役を入賞させる制御よりも再遊技役に伴う制御を優先することで特別役を入賞させることができないようになっているが、高確率再遊技期間では、再遊技役が当選しても一定の確率で再遊技役も特別役も入賞させることができないように制御されるため、この場合には、特別役を入賞させることができないうえに、いずれの役も入賞させることもできず、遊技者に対して損失感を与えてしまうという問題があった。
【０００７】
本発明は、このような問題点に着目してなされたものであり、当選した特別役の入賞を困難に制御することで特別役の入賞頻度を変化させても遊技者に対して与える損失感を軽減することができるスロットマシンを提供することを目的とする。
【課題を解決するための手段】
【０００８】
上記課題を解決するために、本発明の請求項１に記載のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されたことにより１ゲームが終了し、前記可変表示装置（リール２Ｌ、２Ｃ、２Ｒ）に導出された表示結果に応じて入賞が発生可能とされたスロットマシン（スロットマシン１）であって、
前記可変表示装置に表示結果が導出される前に遊技者にとって有利な特別遊技状態（ＢＢ）への移行を伴う特別入賞（特別役）、前記遊技用価値の付与を伴う小役入賞（小役）、及び前記遊技用価値を用いずにゲームを行うことが可能な再遊技（リプレイゲーム）の付与を伴う再遊技入賞（再遊技役）を含む複数種類の入賞について発生を許容するか否かを決定する事前決定手段（内部抽選）と、
前記事前決定手段により前記特別入賞のうち第１の持越特別入賞（ＢＢ（２））の発生を許容する旨が決定され、該第１の持越特別入賞（ＢＢ（２））が発生しなかったときに、当該第１の持越特別入賞の発生を許容する旨の決定（ＢＢ（２）の当選フラグ）を次ゲーム以降に持ち越し、前記特別入賞のうち前記第１の持越特別入賞（ＢＢ（２））とは異なる第２の持越特別入賞（ＢＢ（３））の発生を許容する旨が決定され、該第２の持越特別入賞（ＢＢ（３））が発生しなかったときに、当該第２の持越特別入賞の発生を許容する旨の決定（ＢＢ（３）の当選フラグ）を次ゲーム以降に持ち越す持越手段と、
前記可変表示装置に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果に応じて前記可変表示装置（リール２Ｌ、２Ｃ、２Ｒ）に表示結果を導出させる制御を行う導出制御手段と、
を備え、
前記事前決定手段は、前記第１の持越特別入賞の発生を許容する旨の決定（ＢＢ（２）の当選フラグ）及び前記第２の持越特別入賞の発生を許容する旨の決定（ＢＢ（３）の当選フラグ）が持ち越されていないことを条件に、新たに前記特別入賞（特別役）の発生を許容する旨の決定を行うことが可能であり、
前記導出制御手段は、
前記第１の持越特別入賞（ＢＢ（２））の発生を許容する旨と前記小役入賞のうち前記所定の賭数を設定するのに必要な遊技用価値未満の遊技用価値（１枚）の付与を伴う特定小役入賞（１枚（１）〜（５））の発生を許容する旨の双方が決定されているときまたは前記第２の持越特別入賞（ＢＢ（３））の発生を許容する旨と前記特定小役入賞（１枚（１）〜（５））の発生を許容する旨の双方が決定されているときに、前記導出操作手段（ストップスイッチ８Ｌ、８Ｃ、８Ｒ）の操作手順に関わらず前記特定小役入賞（１枚（１）〜（５））となる表示結果を必ず導出させる制御を行い、
前記第１の持越特別入賞の発生を許容する旨（ＢＢ（２））と前記再遊技入賞（再遊技役）の発生を許容する旨の双方が決定されているときまたは前記第２の持越特別入賞（ＢＢ（３））の発生を許容する旨と前記再遊技入賞（再遊技役）の発生を許容する旨の双方が決定されているときに、前記導出操作手段（ストップスイッチ８Ｌ、８Ｃ、８Ｒ）の操作手順に関わらず前記再遊技入賞（再遊技役）となる表示結果を必ず導出させる制御を行い、
前記第１の持越特別入賞（ＢＢ（２））の発生を許容する旨が決定されており、かつ前記特定小役入賞（１枚（１）〜（５））の発生を許容する旨または前記再遊技入賞（再遊技役）の発生を許容する旨が決定されていないことを条件に前記第１の持越特別入賞（ＢＢ（２））となる表示結果を導出可能とする制御を行い、
前記第２の持越特別入賞（ＢＢ（３））の発生を許容する旨が決定されており、かつ前記特定小役入賞（１枚（１）〜（５））の発生を許容する旨または前記再遊技入賞（再遊技役）の発生を許容する旨が決定されていないことを条件に前記第２の持越特別入賞（ＢＢ（３））となる表示結果を導出可能とする制御を行い、
前記スロットマシンは、
いずれの入賞の発生も許容しない旨（ハズレ）の決定よりも高い確率で前記特定小役入賞（１枚（１）〜（５））の発生を許容する旨の決定を前記事前決定手段が行うことにより、前記第１の持越特別入賞の発生を許容する旨の決定（ＢＢ（２）の当選フラグ）が持ち越されている場合において前記第１の持越特別入賞（ＢＢ（２））となる表示結果が導出可能となる確率及び前記第２の持越特別入賞の発生を許容する旨の決定（ＢＢ（３）の当選フラグ）が持ち越されている場合において前記第２の持越特別入賞（ＢＢ（３））となる表示結果が導出可能となる確率を制限するとともに、
前記第２の持越特別入賞の発生を許容する旨の決定（ＢＢ（３）の当選フラグ）が持ち越されている場合に、前記第１の持越特別入賞の発生を許容する旨の決定（ＢＢ（２）の当選フラグ）が持ち越されている場合よりも高い確率で前記事前決定手段が前記再遊技入賞（再遊技役）の発生を許容する旨の決定を行うことにより、前記第１の持越特別入賞の発生を許容する旨の決定（ＢＢ（２）の当選フラグ）が持ち越されている場合において前記第１の持越特別入賞（ＢＢ（２））となる表示結果が導出可能となる確率よりも前記第２の持越特別入賞の発生を許容する旨の決定（ＢＢ（３）の当選フラグ）が持ち越されている場合において前記第２の持越特別入賞（ＢＢ（３））となる表示結果が導出可能となる確率を制限する
ことを特徴としている。
この特徴によれば、第１の持越特別入賞の発生を許容する旨の決定または第２の持越特別入賞の発生を許容する旨の決定が持ち越されている状態では、いずれの入賞の発生も許容しない旨の決定よりも高い確率で特定小役入賞の発生を許容する旨が決定されるとともに、第１の持越特別入賞の発生を許容する旨の決定または第２の持越特別入賞の発生を許容する旨の決定が持ち越されている状態において特定小役入賞の発生が許容された場合に、第１の持越特別入賞となる表示結果や第２の持越特別入賞となる表示結果が導出されることはなく、必ず特定小役入賞となる表示結果が導出されるとともに、第１の持越特別入賞の発生を許容する旨の決定または第２の持越特別入賞の発生を許容する旨の決定が持ち越されている状態において再遊技入賞の発生が許容された場合に、第１の持越特別入賞となる表示結果や第２の持越特別入賞となる表示結果が導出されることはなく、必ず再遊技入賞となる表示結果が導出されるので、第１の持越特別入賞や第２の持越特別入賞の発生が許容されても、その後、特定小役入賞の発生を許容する旨や再遊技入賞の発生を許容する旨が決定されたゲームでは、第１の持越特別入賞、第２の持越特別入賞を発生させることが不可能となり、第１の持越特別入賞や第２の持越特別入賞の発生が許容されても、第１の持越特別入賞、第２の持越特別入賞が発生する確率を制限することができる。さらに第１の持越特別入賞の発生を許容する旨の決定または第２の持越特別入賞の発生を許容する旨の決定が持ち越されている間は、新たに特別入賞の発生を許容する旨も決定されることがないので、事前決定手段により特別入賞の発生を許容する旨が決定される確率を変化させることなく、特別入賞が発生する確率の低い期間と特別入賞が発生する確率の高い期間とを設けることができる。
また、第１の持越特別入賞の発生を許容する旨の決定が持ち越されている場合よりも第２の持越特別入賞の発生を許容する旨の決定が持ち越されている場合の方が高い確率で再遊技入賞の発生を許容する旨が決定されるため、特別入賞が発生する確率の低い期間においても、第１の持越特別入賞の発生が許容された場合と、第２の持越特別入賞の発生が許容された場合と、で許容された後、該許容された特別入賞が発生する確率に変化を持たせることができる。
また、いずれの入賞の発生も許容しない旨の決定よりも高い確率で特定小役入賞の発生を許容する旨が決定されることで、第１の持越特別入賞の発生を許容する旨の決定または第２の持越特別入賞の発生を許容する旨の決定が持ち越されている場合に第１の持越特別入賞、第２の持越特別入賞が発生する確率を制限するので、第１の持越特別入賞や第２の持越特別入賞を発生させることができない場合でも、遊技用価値の付与を伴う特定小役入賞を発生させることが可能となり、第１の持越特別入賞、第２の持越特別入賞を発生させる確率が制限されても遊技者に対して与える損失感を軽減することができる。
また、特定小役入賞が発生しても付与される遊技用価値は、ゲームを開始するのに必要な所定数の賭数を設定するのに用いる遊技用価値未満であるため、第１の持越特別入賞の発生を許容する旨の決定または第２の持越特別入賞の発生を許容する旨の決定が持ち越されている状態では、第１の持越特別入賞、第２の持越特別入賞の発生確率を制限するために遊技用価値の付与を伴う特定小役入賞を発生させつつ、遊技用価値を消費させることが可能となる。
【０００９】
尚、所定数の賭数とは、遊技用価値１単位毎に賭数が１設定される構成であれば、少なくとも２以上の賭数であって、３以上の賭数が設定されることや最大賭数が設定されることでゲームが開始可能となるようにしても良い。また、遊技用価値の複数単位毎に賭数が１設定される構成であれば、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記特別入賞は、前記第１の持越特別入賞及び第２の持越特別入賞のみであっても良いし、前記第１の持越特別入賞及び第２の持越特別入賞と第１の持越特別入賞及び第２の持越特別入賞とは異なる特別入賞のいずれも含むものであっても良い。
また、前記第１の持越特別入賞の発生を許容する旨または前記第２の持越特別入賞の発生を許容する旨と前記再遊技入賞の発生を許容する旨の双方が決定されているときとは、前記第１の持越特別入賞の発生を許容する旨の決定または前記第２の持越特別入賞の発生を許容する旨の決定が持ち越されていない場合に前記第１の持越特別入賞の発生を許容する旨または前記第２の持越特別入賞の発生を許容する旨と前記再遊技入賞の発生を許容する旨が同時に決定されたとき、前記第１の持越特別入賞の発生を許容する旨の決定または前記第２の持越特別入賞の発生を許容する旨の決定が持ち越されている場合に前記再遊技入賞の発生を許容する旨が単独で決定されたとき、の双方を含む。
また、前記第１の持越特別入賞の発生を許容する旨または前記第２の持越特別入賞の発生を許容する旨と前記特定小役入賞の発生を許容する旨の双方が決定されているときとは、前記第１の持越特別入賞の発生を許容する旨の決定または前記第２の持越特別入賞の発生を許容する旨の決定が持ち越されていない場合に前記第１の持越特別入賞の発生を許容する旨または前記第２の持越特別入賞の発生を許容する旨と前記特定小役入賞の発生を許容する旨が同時に決定されたとき、前記第１の持越特別入賞の発生を許容する旨の決定または前記第２の持越特別入賞の発生を許容する旨の決定が持ち越されている場合に前記特定小役入賞の発生を許容する旨が単独で決定されたとき、の双方を含む。
また、前記第１の持越特別入賞または前記第２の持越特別入賞となる表示結果を導出可能とする制御とは、導出操作手段の操作手順に関わらず前記第１の持越特別入賞または前記第２の持越特別入賞となる表示結果を必ず導出させる制御であっても良いし、複数の操作手順のうちの特定の操作手順で操作された場合にのみ、前記第１の持越特別入賞または前記第２の持越特別入賞となる表示結果を必ず導出させ、特定の操作手順以外で操作された場合には、前記第１の持越特別入賞または前記第２の持越特別入賞となる表示結果を導出不能とする制御であっても良い。この場合、複数の操作手順とは、予め定められた複数種類の操作タイミングであっても良いし、可変表示装置が複数の可変表示領域からなる場合には、各可変表示領域に表示結果を導出させる順番を指定する操作であっても良いし、これら操作タイミングと導出順の双方を組み合わせた操作手順であっても良い。
【００１０】
本発明の請求項２に記載のスロットマシンは、請求項１に記載のスロットマシンであって、
前記第２の持越特別入賞の発生を許容する旨の決定（ＢＢ（３）の当選フラグ）が持ち越されている場合には、前記第２の持越特別入賞の発生を許容する旨の決定（ＢＢ（３）の当選フラグ）が持ち越されていない状態で前記事前決定手段が前記特別入賞（特別役）の発生を許容する旨が単独で決定する確率が、前記再遊技入賞（再遊技役）の発生を許容する旨の決定を行う確率に置き換わる
ことを特徴としている。
この特徴によれば、第２の持越特別入賞の発生を許容する旨の決定が持ち越されている場合において、持ち越される前に特別入賞の発生を許容する旨が単独で決定される確率が、再遊技入賞の発生を許容する旨の決定を行う確率に置き換わるので、第２の持越特別入賞の発生を許容する旨の決定が持ち越されている場合において新たに特別入賞の発生を許容する旨の決定が単独で行われなくなっても、それに伴い第２の持越特別入賞以外にいずれの入賞の発生も許容されない確率、すなわち第２の持越特別入賞が発生する確率の増加が確実に制限され、特別入賞が発生する確率の低い期間と特別入賞が発生する確率の高い期間とで特別入賞が発生する確率の差を明確に出すことができる。
【００１１】
本発明の請求項３に記載のスロットマシンは、請求項１または２に記載のスロットマシンであって、
前記導出制御手段は、前記特別入賞のうち前記第１の持越特別入賞（ＢＢ（２））及び前記第２の持越特別入賞（ＢＢ（３））とは異なる特定特別入賞（ＢＢ（１））の発生を許容する旨と前記特定小役入賞（１枚（１）〜（５））の発生を許容する旨の双方が決定されているときに、前記特定小役入賞（１枚（１）〜（５））となる表示結果よりも前記特定特別入賞（ＢＢ（１））となる表示結果を優先して導出させる制御を行う
ことを特徴としている。
この特徴によれば、特定特別入賞の発生を許容する旨と特定小役入賞の発生を許容する旨の双方が決定された場合には、特定小役入賞となる表示結果よりも特定特別入賞となる表示結果が優先して導出されるので、特定特別入賞の発生が許容された場合には、高い確率で特定特別入賞を発生させることができ、第２の持越特別入賞の発生を許容する旨の決定が持ち越されている場合よりも特別入賞が発生する確率の高い期間を設けることができる。
尚、前記特定小役入賞となる表示結果よりも前記特定特別入賞となる表示結果を優先して導出させる制御を行うとは、双方の表示結果を導出可能な場合において前記特定特別入賞となる表示結果を導出させる制御を行うことであり、前記特定小役入賞となる表示結果のみを導出可能な場合において前記特定小役入賞となる表示結果を導出させる制御を行うことを妨げるものではない。また、前記特定特別入賞となる表示結果を導出させる制御のみを行うものであっても良い。
【００１２】
本発明の請求項４に記載のスロットマシンは、請求項１〜３のいずれかに記載のスロットマシンであって、
前記第１の持越特別入賞の発生を許容する旨の決定（ＢＢ（２）の当選フラグ）が持ち越されている場合と、前記第２の持越特別入賞（ＢＢ（３）の当選フラグ）の発生を許容する旨の決定が持ち越されている場合と、で異なる割合で特定演出を実行する特定演出実行手段を備える
ことを特徴としている。
この特徴によれば、特定演出の頻度に応じて、第２の持越特別入賞の発生が許容されているか、第２の持越特別入賞の発生が許容されている場合よりも高確率で入賞させることが期待できる第１の持越特別入賞の発生が許容されているか、を推測することができるので、特定演出の頻度により特別入賞の発生に対する遊技者の期待感を高めることができる。
【００１３】
本発明の請求項５に記載のスロットマシンは、請求項１〜４のいずれかに記載のスロットマシンであって、
前記導出制御手段は、
前記第２の持越特別入賞（ＢＢ（３））の発生を許容する旨と前記小役入賞（小役）のうち所定小役入賞（１枚（１）〜（５））の発生を許容する旨の双方が決定されているときに、前記導出操作手段（ストップスイッチ８Ｌ、８Ｃ、８Ｒ）の操作手順に関わらず前記所定小役入賞（１枚（１）〜（５））となる表示結果を必ず導出させる制御を行い、
前記第２の持越特別入賞（ＢＢ（３））の発生を許容する旨と前記遊技用価値を用いることなくゲームを行うことが可能な再遊技（リプレイゲーム）の付与を伴う再遊技入賞（再遊技役）の発生を許容する旨の双方が決定されているときに、前記導出操作手段（ストップスイッチ８Ｌ、８Ｃ、８Ｒ）の操作手順に関わらず前記再遊技入賞（再遊技役）となる表示結果を必ず導出させる制御を行い、
前記スロットマシンは、前記第１の持越特別入賞の発生を許容する旨の決定（ＢＢ（２）の当選フラグ）及び前記第２の持越特別入賞の発生を許容する旨の決定（ＢＢ（３）の当選フラグ）が持ち越されていない場合において前記第２の持越特別入賞（ＢＢ（３））の発生を許容する旨を前記事前決定手段が決定する場合に、前記所定小役入賞（１枚（１）〜（５））の発生を許容する旨または前記再遊技入賞（再遊技役）の発生を許容する旨のいずれかを同時に決定することにより、前記第２の持越特別入賞（ＢＢ（３））となる表示結果の導出を不能とする
ことを特徴としている。
この特徴によれば、第１の持越特別入賞の発生を許容する旨の決定及び第２の持越特別入賞の発生を許容する旨の決定が持ち越されていない場合において第２の持越特別入賞の発生が許容されたゲームでは、第２の持越特別入賞の発生が不可能となり、必ず次ゲーム以降に持ち越されるので、第２の持越特別入賞の発生が許容されると確実に特別入賞が発生する確率の低い期間に移行させることができる。
尚、所定小役入賞とは、前記特定小役入賞であっても良いし、前記特定小役入賞とは異なる種類の小役入賞であっても良い。さらに所定小役入賞は、前記特定小役入賞と他の種類の小役入賞の双方を含むものであっても良い。
【００１４】
本発明の請求項６に記載のスロットマシンは、請求項１〜５のいずれかに記載のスロットマシンであって、
前記可変表示装置は、複数種類の図柄を変動表示可能な複数の可変表示部（左リール、中リール、右リール）からなり、
前記複数の可変表示部（左リール、中リール、右リール）に導出された表示結果の組合せに応じて入賞が発生可能なスロットマシンであって、
前記導出制御手段は、前記第１の持越特別入賞（ＢＢ（２））の発生を許容する旨または前記第２の持越特別入賞（ＢＢ（３））の発生を許容する旨が単独で決定されている場合に、前記導出操作手段（ストップスイッチ８Ｌ、８Ｃ、８Ｒ）の操作により前記複数の可変表示領域（左リール、中リール、右リール）に対して特定の順番（左リール第１停止）で表示結果を導出させることにより、該導出操作手段（ストップスイッチ８Ｌ、８Ｃ、８Ｒ）が操作されたタイミングに関わらず、前記第１の持越特別入賞（ＢＢ（２））となる表示結果の組合せまたは前記第２の持越特別入賞（ＢＢ（３））となる表示結果の組合せを必ず導出させる
ことを特徴としている。
この特徴によれば、第１の持越特別入賞の発生を許容する旨の決定または第２の持越特別入賞の発生を許容する旨の決定が持ち越されている状態で、特定小役入賞の発生も再遊技入賞の発生も許容されない場合、すなわち第１の持越特別入賞または第２の持越特別入賞を発生させることが可能な場合には、特定の順番で表示結果を導出させる操作手順で導出操作手段の操作を行えば、その操作タイミングに関わらず第１の持越特別入賞または第２の持越特別入賞を発生させることが可能となるので、第１の持越特別入賞または第２の持越特別入賞を発生させることが可能な条件が成立したにも関わらず、第１の持越特別入賞または第２の持越特別入賞を発生させることができないことによって遊技者に対して極端に不利益となってしまうことを防止できる。
【００１５】
本発明の請求項７に記載のスロットマシンは、請求項１〜６のいずれかに記載のスロットマシンであって、
前記事前決定手段は、前記第１の持越特別入賞の発生を許容する旨の決定（ＢＢ（２）の当選フラグ）または前記第２の持越特別入賞の発生を許容する旨の決定（ＢＢ（３）の当選フラグ）が持ち越されていない場合に、前記第１の持越特別入賞（ＢＢ（２））の発生を許容する旨の決定及び第２の持越特別入賞（ＢＢ（３））の発生を許容する旨の決定よりも高い確率で前記特別入賞のうち前記第１の持越特別入賞（ＢＢ（２））及び前記第２の持越特別入賞（ＢＢ（３））とは異なる特定特別入賞（ＢＢ（１））の発生を許容する旨の決定を行う
ことを特徴としている。
この特徴によれば、第１の持越特別入賞または第２の持越特別入賞の発生が許容される前、すなわち特別入賞が発生する確率が制限される期間へ移行する前に特定特別入賞の発生が許容される割合が高くなるため、特定特別入賞の発生が許容された場合には、短期間に特別入賞を連続して発生させることができる。
【００１６】
本発明の請求項８に記載のスロットマシンは、請求項１〜７のいずれかに記載のスロットマシンであって、
前記可変表示装置は、複数種類の図柄を変動表示可能な複数の可変表示部（左リール、中リール、右リール）からなり、
前記複数の可変表示部（左リール、中リール、右リール）に導出された表示結果の組合せに応じて入賞が発生可能なスロットマシンであって、
前記導出制御手段は、前記特別入賞のうち前記第１の持越特別入賞（ＢＢ（２））及び前記第２の持越特別入賞（ＢＢ（３））とは異なる特定特別入賞（ＢＢ（１））の発生を許容する旨が単独で決定されている場合に、前記導出操作手段（ストップスイッチ８Ｌ、８Ｃ、８Ｒ）の操作により前記複数の可変表示領域（左リール、中リール、右リール）に対して所定の順番（左リール第１停止）で表示結果を導出させることにより、該導出操作手段（ストップスイッチ８Ｌ、８Ｃ、８Ｒ）が操作されたタイミングに関わらず前記特定特別入賞（ＢＢ（１））となる表示結果の組合せを必ず導出させる
ことを特徴としている。
この特徴によれば、特定特別入賞を発生させることが可能な場合には、特定の順番で表示結果を導出させる操作手順で導出操作手段の操作を行えば、その操作タイミングに関わらず第１の持越特別入賞を発生させることが可能となるので、特定特別入賞の発生が許容された場合には、高い確率で特定特別入賞を発生させることができるので、第１の持越特別入賞の発生を許容する旨の決定が持ち越されている場合よりも特別入賞が発生する確率の高い期間を設けることができる。
【００１７】
本発明の請求項９に記載のスロットマシンは、請求項１〜８のいずれかに記載のスロットマシンであって、
前記事前決定手段は、前記第１の持越特別入賞（ＢＢ（２））の発生を許容する旨の決定または前記第２の持越特別入賞（ＢＢ（３））の発生を許容する旨の決定が持ち越されていない場合に、前記特別入賞のうち前記第１の持越特別入賞（ＢＢ（２））及び前記第２の持越特別入賞（ＢＢ（３））とは異なる特定特別入賞（ＢＢ（１））の発生を許容する旨の決定を単独で行う
ことを特徴としている。
この特徴によれば、特定特別入賞の発生を許容する旨が単独で決定された場合には、そのゲームで特定特別入賞を発生させることができるので、第１の持越特別入賞の発生を許容する旨の決定が持ち越されている場合よりも特別入賞が発生する確率の高い期間を設けることができる。
【００１８】
尚、請求項３、７〜９において前記特定特別入賞の発生を許容する旨が決定され、該特定特別入賞が発生しなかったときに、当該特定特別入賞の発生を許容する旨の決定を次ゲーム以降に持ち越されないものでも良いし、前記持越手段により前記特定特別入賞の発生を許容する旨の決定を次ゲーム以降に持ち越すものでも良い。
【図面の簡単な説明】
【００１９】
【図１】本発明を適用したスロットマシンの正面図である。
【図２】スロットマシンの内部構造図である。
【図３】リールの図柄配列を示す図である。
【図４】スロットマシンの構成を示すブロック図である。
【図５】入賞として定められた役の構成を示す図である。
【図６】遊技状態別の内部抽選の対象役を示す図である。
【図７】遊技状態別の内部抽選確率を示す図である。
【図８】ゲームの流れを示すフローチャートである。
【図９】遊技状態別の内部抽選確率を示す図である。
【発明を実施するための形態】
【００２０】
本発明の実施例を以下に説明する。
【実施例】
【００２１】
本発明が適用されたスロットマシンの実施例を図面を用いて説明すると、本実施例のスロットマシン１は、前面が開口する筐体１ａと、この筐体１ａの側端に回動自在に枢支された前面扉１ｂと、から構成されている。
【００２２】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２３】
リール２Ｌ、２Ｃ、２Ｒの外周部には、図３に示すように、それぞれ「黒７」、「白７」、「リプレイ」、「ベル」、「黒スイカ」、「白スイカ」、「黒オレンジ」、「白オレンジ」、「黒ブドウ」、「リンゴ」といった互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。
【００２４】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２５】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２６】
前面扉１ｂの各リール２Ｌ、２Ｃ、２Ｒの手前側（遊技者側）の位置には、液晶表示器５１（図１参照）の表示領域５１ａが配置されている。液晶表示器５１は、液晶素子に対して電圧が印加されていない状態で、透過性を有するノーマリーホワイトタイプの液晶パネルを有しており、表示領域５１ａの透視窓３に対応する透過領域５１ｂ及び透視窓３を介して遊技者側から各リール２Ｌ、２Ｃ、２Ｒが視認できるようになっている。また、表示領域５１ａの透過領域５１ｂを除く領域の裏面には、背後から表示領域５１ａを照射するバックライト（図示略）が設けられているとともに、さらにその裏面には、内部を隠蔽する隠蔽部材（図示略）が設けられている。
【００２７】
前面扉１ｂには、メダルを投入可能なメダル投入部４、メダルが払い出されるメダル払出口９、クレジット（遊技者所有の遊技用価値として記憶されているメダル数）を用いてメダル１枚分の賭数を設定する際に操作される１枚ＢＥＴスイッチ５、クレジットを用いて、その範囲内において遊技状態に応じて定められた規定数の賭数のうち最大の賭数（本実施例では遊技状態がＲＢ（ＢＢ）の場合には１、ＲＴ（０）〜（２）では３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、が遊技者により操作可能にそれぞれ設けられている。
【００２８】
また、前面扉１ｂには、クレジットとして記憶されているメダル枚数が表示されるクレジット表示器１１、後述するＢＢ中のメダルの獲得枚数やエラー発生時にその内容を示すエラーコード等が表示される遊技補助表示器１２、入賞の発生により払い出されたメダル枚数が表示されるペイアウト表示器１３が設けられている。
【００２９】
また、前面扉１ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【００３０】
ＭＡＸＢＥＴスイッチ６の内部には、１枚ＢＥＴスイッチ５及びＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００３１】
前面扉１ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉１ｂの開放状態を検出するドア開放検出スイッチ２５（図４参照）が設けられている。
【００３２】
筐体１ａ内部には、図２に示すように、前述したリール２Ｌ、２Ｃ、２Ｒ、リールモータ３２Ｌ、３２Ｃ、３２Ｒ、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３４ｃからなるホッパーユニット３４、電源ボックス１００が設けられている。
【００３３】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３４】
電源ボックス１００の前面には、後述のＢＢ終了時に打止状態（リセット操作がなされるまでゲームの進行が規制される状態）に制御する打止機能の有効／無効を選択するための打止スイッチ３６ａ、後述のＢＢ終了時に自動精算処理（クレジットとして記憶されているメダルを遊技者の操作によらず精算（返却）する処理）に制御する自動精算機能の有効／無効を選択するための自動精算スイッチ３６ｂ、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をＯＮ／ＯＦＦする際に操作される電源スイッチ３９が設けられている。
【００３５】
本実施例のスロットマシン１においてゲームを行う場合には、まず、メダルをメダル投入部４から投入するか、あるいはクレジットを使用して賭数を設定する。クレジットを使用するには１枚ＢＥＴスイッチ５またはＭＡＸＢＥＴスイッチ６を操作すれば良い。遊技状態に応じて定められた規定数の賭数が設定されると、入賞ラインＬ（図１参照）が有効となり、スタートスイッチ７の操作が有効な状態、すなわち、ゲームが開始可能な状態となる。本実施例では、規定数の賭数として遊技状態がＲＢ（ＢＢ）では１枚、ＲＴ（０）〜（２）では３枚が定められている。尚、遊技状態に対応する規定数のうち最大数を超えてメダルが投入された場合には、その分はクレジットに加算される。
【００３６】
入賞ラインとは、各リール２Ｌ、２Ｃ、２Ｒの透視窓３に表示された図柄の組合せが入賞図柄の組合せであるかを判定するために設定されるラインである。本実施例では、図１に示すように、各リール２Ｌ、２Ｃ、２Ｒの中段に並んだ図柄に跨って設定された入賞ラインＬの１種類が入賞ラインとして定められているが、複数の入賞ラインが定められていても良い。
【００３７】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３８】
そして全てのリール２Ｌ、２Ｃ、２Ｒが停止されることで１ゲームが終了し、有効化され入賞ラインＬ上に予め定められた図柄の組合せ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、有効化された入賞ラインＬ上に、遊技状態の移行を伴う図柄の組合せが各リール２Ｌ、２Ｃ、２Ｒの表示結果として停止した場合には図柄の組合せに応じた遊技状態に移行するようになっている。
【００３９】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４０】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４１】
また、電源基板１０１には、前述したホッパーモータ３４ｂ、払出センサ３４ｃ、満タンセンサ３５ａ、打止スイッチ３６ａ、自動精算スイッチ３６ｂ、設定キースイッチ３７、リセット／設定スイッチ３８、電源スイッチ３９が接続されている。
【００４２】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒ、精算スイッチ１０、リセットスイッチ２３、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、打止スイッチ３６ａ、自動精算スイッチ３６ｂ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、メインＣＰＵ４１ａ、ＲＯＭ４１ｂ、ＲＡＭ４１ｃ、Ｉ／Ｏポート４１ｄを備えたマイクロコンピュータからなり、遊技の制御を行うメイン制御部４１、所定範囲（本実施例では０〜６５５３５）の乱数を生成する乱数回路４２、一定周波数のクロック信号を乱数回路４２に供給するパルス発振器４３、遊技制御基板４０に直接または電源基板１０１を介して接続されたスイッチ類から入力された検出信号を検出するスイッチ検出回路４４、リールモータ３２Ｌ、３２Ｃ、３２Ｒの駆動制御を行うモータ駆動回路４５、流路切替ソレノイド３０の駆動制御を行うソレノイド駆動回路４６、遊技制御基板４０に接続された各種表示器やＬＥＤの駆動制御を行うＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはメインＣＰＵ４１ａからの初期化命令が入力されないときにメインＣＰＵ４１ａにリセット信号を与えるリセット回路４９、その他各種デバイス、回路が搭載されている。
【００４５】
メインＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行うととともに、遊技制御基板４０に搭載された制御回路の各部を直接的または間接的に制御する。ＲＯＭ４１ｂは、メインＣＰＵ４１ａが実行するプログラムや各種テーブル等の固定的なデータを記憶する。ＲＡＭ４１ｃは、メインＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【００４６】
メイン制御部４１は、信号入力端子を備えており、遊技制御基板４０に接続された各種スイッチ類の検出状態がこれら信号入力端子を介して入力ポートに入力される。これら信号入力端子の入力状態は、メインＣＰＵ４１ａにより監視されており、メインＣＰＵ４１ａは、信号入力端子の入力状態、すなわち各種スイッチ類の検出状態に応じて段階的に移行する基本処理を実行する。
【００４７】
また、メインＣＰＵ４１ａは、前述のように割込機能を備えており、割込の発生により基本処理に割り込んで割込処理を実行できるようになっている。本実施例では、割込１〜４の４種類の割込を実行可能であり、各割込毎にカウンタモード（信号入力端子とは別個に設けられたトリガー端子からの信号入力に応じて外部割込を発生させる割込モード）とタイマモード（メインＣＰＵ４１ａのクロック入力数に応じて内部割込を発生させる割込モード）のいずれかを選択して設定できるようになっている。
【００４８】
本実施例では、割込１〜４のうち、割込２がカウンタモードに設定され、割込３がタイマモードに設定され、割込１、４は未使用とされている。トリガー端子は、前述した電断検出回路４８と接続されており、メインＣＰＵ４１ａは電断検出回路４８から出力された電圧低下信号の入力に応じて割込２を発生させて後述する電断割込処理（メイン）を実行する。また、メインＣＰＵ４１ａは、クロック入力数が一定数に到達する毎、すなわち一定時間間隔（本実施例では、約０．５６ｍｓ）毎に割込３を発生させて後述するタイマ割込処理（メイン）を実行する。また、割込１、４は、未使用に設定されているが、ノイズ等によって割込１、４が発生することがあり得る。このため、メインＣＰＵ４１ａは、割込１、４が発生した場合に、もとの処理に即時復帰させる未使用割込処理を実行するようになっている。
【００４９】
また、メインＣＰＵ４１ａは、割込１〜４のいずれかの割込の発生に基づく割込処理の実行中に他の割込を禁止するように設定されているとともに、複数の割込が同時に発生した場合には、割込２、３、１、４の順番で優先して実行する割込が設定されている。すなわち割込２とその他の割込が同時に発生した場合には、割込２を優先して実行し、割込３と割込１または４が同時に発生した場合には、割込３を優先して実行するようになっている。
【００５０】
また、メインＣＰＵ４１ａは、割込１〜４のいずれかの割込の発生に基づく割込処理の開始時に、レジスタに格納されている使用中のデータをＲＡＭ４１ｃに設けられた後述のスタック領域に一時的に退避させるとともに、当該割込処理の終了時にスタック領域に退避させたデータをレジスタに復帰させるようになっている。
【００５１】
また、メイン制御部４１には、停電時においてもバックアップ電源が供給されており、バックアップ電源が供給されている間は、ＲＡＭ４１ｃに記憶されているデータが保持されるようになっている。
【００５２】
メインＣＰＵ４１ａは、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メインＣＰＵ４１ａは、前述のように割込機能を備えており、割込の発生により基本処理に割り込んで割込処理を実行できるようになっており、電断検出回路４８から出力された電圧低下信号の入力に応じて電断割込処理（メイン）を実行し、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００５３】
メインＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成されているとともに、演出中継基板８０を介して接続されており、遊技制御基板４０と演出制御基板９０とが直接接続されない構成とされている。
【００５４】
演出制御基板９０には、スロットマシン１の前面扉１ｂに配置された液晶表示器５１（図１参照）、演出効果ＬＥＤ５２、スピーカ２３５４、前述したリールＬＥＤ５５等の演出装置が接続されており、これら演出装置は、演出制御基板９０に搭載された後述のサブ制御部９１による制御に基づいて駆動されるようになっている。
【００５５】
尚、本実施例では、演出制御基板９０に搭載されたサブ制御部９１により、液晶表示器５１、演出効果ＬＥＤ５２、スピーカ５４、リールＬＥＤ５５等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５６】
また、本実施例では、演出装置として液晶表示器５１、演出効果ＬＥＤ５２、スピーカ２３５４、リールＬＥＤ５５を例示しているが、演出装置は、これらに限られず、例えば、機械的に駆動する表示装置や機械的に駆動する役モノなどを演出装置として適用しても良い。
【００５７】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００５８】
サブＣＰＵ９１ａは、メインＣＰＵ４１ａと同様に、割込機能（割込禁止機能を含む）を備える。サブ制御部９１の割込端子の１つは、コマンド伝送ラインのうち、メイン制御部４１がコマンドを送信する際に出力するストローブ（ＩＮＴ）信号線に接続されており、サブＣＰＵ９１ａは、ストローブ信号の入力に基づいて割込を発生させて、メイン制御部４１からのコマンドを取得し、バッファに格納するコマンド受信割込処理を実行する。また、サブＣＰＵ９１ａは、クロック入力数が一定数に到達する毎、すなわち一定間隔毎に割込を発生させて後述するタイマ割込処理（サブ）を実行する。また、サブ制御部９１の割込端子の１つは、電断検出回路９８と接続されており、サブＣＰＵ９１ａは、電断検出回路９８から出力された電圧低下信号の入力に応じて電断割込処理（サブ）を実行する。また、サブＣＰＵ９１ａにおいても未使用の割込が発生した場合には、もとの処理に即時復帰させる未使用割込処理を実行するようになっている。
【００５９】
また、サブＣＰＵ９１ａは、メインＣＰＵ４１ａとは異なり、ストローブ信号（ＩＮＴ）の入力に基づいて割込が発生した場合には、タイマ割込処理（サブ）の実行中であっても、当該処理に割り込んでコマンド受信割込処理を実行し、タイマ割込処理（サブ）の契機となる割込が同時に発生してもコマンド受信割込処理を最優先で実行するようになっている。尚、電断割込処理（サブ）の実行中には、コマンド受信割込処理も禁止されるが、電断割込処理（サブ）の契機となる割込が同時に発生した場合にはコマンド受信割込処理を優先して実行する
【００６０】
また、サブ制御部９１にも、停電時においてバックアップ電源が供給されており、バックアップ電源が供給されている間は、ＲＡＭ９１ｃに記憶されているデータが保持されるようになっている。
【００６１】
本実施例のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００６２】
設定値を変更するためには、設定キースイッチ３７をＯＮ状態としてからスロットマシン１の電源をＯＮする必要がある。設定キースイッチ３７をＯＮ状態として電源をＯＮすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がＯＦＦされると、確定した表示値（設定値）がメイン制御部４１のＲＡＭ４１ｃに格納され、遊技の進行が可能な状態に移行する。
【００６３】
また、設定値を確認するためには、ゲーム終了後、賭数が設定されていない状態で設定キースイッチ３７をＯＮ状態とすれば良い。このような状況で設定キースイッチ３７をＯＮ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をＯＦＦ状態とすることで、設定確認状態が終了し、ゲームの進行が可能な状態に復帰することとなる。
【００６４】
本実施例のスロットマシン１においては、メインＣＰＵ４１ａが電断検出回路４８からの電圧低下信号を検出した際に、電断割込処理（メイン）を実行する。電断割込処理（メイン）では、レジスタを後述するＲＡＭ４１ｃのスタックに退避し、ＲＡＭ４１ｃにいずれかのビットが１となる破壊診断用データ（本実施例では、５ＡＨ）、すなわち０以外の特定のデータを格納するとともに、ＲＡＭ４１ｃの全ての領域に格納されたデータに基づくＲＡＭパリティが０となるようにＲＡＭパリティ調整用データを計算し、ＲＡＭ４１ｃに格納する処理を行うようになっている。尚、ＲＡＭパリティとはＲＡＭ４１ｃの該当する領域（本実施例では、全ての領域）の各ビットに格納されている値の排他的論理和として算出される値である。このため、ＲＡＭ４１ｃの全ての領域に格納されたデータに基づくＲＡＭパリティが０であれば、ＲＡＭパリティ調整用データは０となり、ＲＡＭ４１ｃの全ての領域に格納されたデータに基づくＲＡＭパリティが１であれば、ＲＡＭパリティ調整用データは１となる。
【００６５】
そして、メインＣＰＵ４１ａは、その起動時においてＲＡＭ４１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ４１ｃに記憶されているデータに基づいてメインＣＰＵ４１ａの処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、他のエラー状態と異なり、リセットスイッチ２３やリセット／設定スイッチ３８を操作しても解除されないようになっており、前述した設定変更状態において新たな設定値が設定されるまで解除されることがない。
【００６６】
尚、本実施例では、ＲＡＭ４１ｃに格納されている全てのデータが停電時においてもバックアップ電源により保持されるとともに、メインＣＰＵ４１ａは、電源投入時においてＲＡＭ４１ｃのデータが正常であると判定した場合に、ＲＡＭ４１ｃの格納データに基づいて電断前の制御状態に復帰する構成であるが、ＲＡＭ４１ｃに格納されているデータのうち停電時において制御状態の復帰に必要なデータのみをバックアップし、電源投入時においてバックアップされているデータに基づいて電断前の制御状態に復帰する構成としても良い。
【００６７】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、例えば、入力ポートの状態などを全て電断前の状態に復帰させる必要はない。
【００６８】
また、サブＣＰＵ９１ａも電断検出回路９８からの電圧低下信号を検出した際に、電断割込処理（サブ）を実行する。電断割込処理（サブ）では、レジスタを後述するＲＡＭ９１ｃのスタックに退避し、ＲＡＭ９１ｃにいずれかのビットが１となる破壊診断用データを格納するとともに、ＲＡＭ９１ｃの全ての領域に格納されたデータに基づくＲＡＭパリティが０となるようにＲＡＭパリティ調整用データを計算し、ＲＡＭ９１ｃに格納する処理を行うようになっている。
【００６９】
そして、サブＣＰＵ９１ａは、その起動時においてＲＡＭ９１ｃの全ての領域に格納されたデータに基づいてＲＡＭパリティを計算し、ＲＡＭパリティが０であることを条件に、ＲＡＭ９１ｃに記憶されているデータに基づいてサブＣＰＵ９１ａの処理状態を電断前の状態に復帰させるが、ＲＡＭパリティが０でない場合（１の場合）には、ＲＡＭ異常と判定し、ＲＡＭ９１ｃを初期化するようになっている。この場合、メインサブＣＰＵ９１ａと異なり、ＲＡＭ９１ｃが初期化されるのみで演出の実行が不能化されることはない。
【００７０】
尚、本実施例では、ＲＡＭ９１ｃに格納されている全てのデータが停電時においてもバックアップ電源により保持されるとともに、サブＣＰＵ９１ａは、電源投入時においてＲＡＭ９１ｃのデータが正常であると判定した場合に、ＲＡＭ９１ｃの格納データに基づいて電断前の制御状態に復帰する構成であるが、ＲＡＭ９１ｃに格納されているデータのうち停電時において制御状態の復帰に必要なデータのみをバックアップし、電源投入時においてバックアップされているデータに基づいて電断前の制御状態に復帰する構成としても良い。
【００７１】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、入力ポートの状態や、演出が途中で中断された場合の途中経過などを全て電断前の状態に復帰させる必要はない。例えば、ＢＢ中か、通常遊技状態か、などの遊技状態を示すデータのみをバックアップするとともに、遊技状態に対応する演出（ＢＢ中であればＢＢ中演出、通常遊技状態であれば通常演出）以外の特定の演出（小役告知など）の実行中に電断が発生した場合に、次回電源投入時において電断時に実行されていた特定の演出を再開するのではなく、電源投入時においてバックアップされている遊技状態に対応する演出を最初から実行するようにしても良い。
【００７２】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、非保存ワーク、未使用領域、スタック領域に区分されている。
【００７３】
重要ワークは、各種表示器やＬＥＤの表示用データ、Ｉ／Ｏポート４１ｄの入出力データ、遊技時間の計時カウンタ等、ＢＢ終了時に初期化すると不都合があるデータが格納されるワークである。一般ワークは、停止制御テーブル、停止図柄、メダルの払出枚数、ＢＢ中のメダル払出総数等、ＢＢ終了時に初期化可能なデータが格納されるワークである。特別ワークは、演出制御基板９０へコマンドを送信するためのデータ、各種ソフトウェア乱数（後述する判定値加算用乱数、初期値変更用乱数）等、設定変更前にも初期化されないデータが格納されるワークである。設定値ワークは、内部抽選処理で抽選を行う際に用いる設定値が格納されるワークである。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。スタック領域は、メインＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【００７４】
本実施例においてメインＣＰＵ４１ａは、ＲＡＭ異常エラー発生時、設定キースイッチ３７がＯＮの状態での起動時、ＢＢ終了時、設定キースイッチ３７がＯＦＦの状態での起動時においてＲＡＭ４１ｃのデータが破壊されていないとき、１ゲーム終了時の５つからなる初期化条件が成立した際に、各初期化条件に応じて初期化される領域の異なる５種類の初期化を行う。
【００７５】
初期化０は、ＲＡＭ異常エラー発生時に行う初期化であり、初期化０では、ＲＡＭ４１ｃの格納領域のうち、使用中スタック領域を除く全ての領域（未使用領域及び未使用スタック領域を含む）が初期化される。初期化１は、起動時において設定キースイッチ３７がＯＮの状態であり、設定変更状態へ移行する場合において、その前に行う初期化であり、初期化１では、ＲＡＭ４１ｃの格納領域のうち、特別ワーク、非保存ワーク及び使用中スタック領域以外の領域（未使用領域及び未使用スタック領域を含む）が初期化される。初期化２は、ＢＢ終了時に行う初期化であり、初期化２では、ＲＡＭ４１ｃの格納領域のうち、一般ワーク、未使用領域及び未使用スタック領域が初期化される。初期化３は、起動時において設定キースイッチ３７がＯＦＦの状態であり、かつＲＡＭ４１ｃのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭ４１ｃの格納領域のうち、未使用領域及び未使用スタック領域が初期化される。
【００７６】
尚、本実施例では、初期化１を設定変更状態の移行前に行っているが、設定変更状態の終了時に行ったり、設定変更状態移行前、設定変更状態終了時の双方で行うようにしても良い。この場合、設定値ワークを初期化してしまうと確定した設定値が失われてしまうこととなるので、設定変更状態終了時の初期化では、設定値ワークの初期化は行われない。
【００７７】
本実施例のスロットマシン１は、前述のように遊技状態に応じて設定可能な賭数の規定数が定められており、遊技状態に応じて定められた規定数の賭数が設定されたことを条件にゲームを開始させることが可能となる。本実施例では、後に説明するが、遊技状態として、レギュラーボーナス（以下ではＲＢと称す）（ビッグボーナス（以下ではＢＢと称す））、通常遊技状態があり、このうちＲＢ（ＢＢ）では賭数の規定数として１が定められており、ＲＴ（０）〜（２）では賭数の規定数として３が定められている。このため、遊技状態がＲＢ（ＢＢ）であれば、賭数として１が設定されるとゲームを開始させることが可能となり、ＲＴ（０）〜（２）であれば、賭数として３が設定されるとゲームを開始させることが可能となる。尚、本実施例では、遊技状態に応じた規定数の賭数が設定された時点で、入賞ラインＬが有効化されるようになっており、ＲＢ（ＢＢ）では賭数として１が設定された時点で入賞ラインＬが有効化されることなり、ＲＴ（０）〜（２）では賭数として３が設定された時点で入賞ラインＬが有効化されることとなる。
【００７８】
本実施例のスロットマシン１は、全てのリール２Ｌ、２Ｃ、２Ｒが停止した際に、有効化された入賞ライン（以下では、有効化された入賞ラインを単に入賞ラインと呼ぶ）上に役と呼ばれる図柄の組合せが揃うと入賞となる。役は、同一図柄の組合せであっても良いし、異なる図柄を含む組合せであっても良い。入賞となる役の種類は、遊技状態に応じて定められているが、大きく分けて、メダルの払い出しを伴う小役と、賭数の設定を必要とせずに次のゲームを開始可能となる再遊技役と、遊技状態の移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭ４１ｃに設定されている必要がある。
【００７９】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
【００８０】
このスロットマシン１における役としては、図５に示すように、特別役としてビッグボーナス（１）、ビッグボーナス（２）、ビッグボーナス（３）（以下ではビッグボーナス（１）をＢＢ（１）、ビッグボーナス（２）をＢＢ（２）、ビッグボーナス（３）をＢＢ（３）とする）が、小役として１枚（１）、１枚（２）、１枚（３）、１枚（４）、１枚（５）、１０枚が、再遊技役としてリプレイ（１）、リプレイ（２）が定められている。
【００８１】
１枚（１）は、いずれの遊技状態においても入賞ラインに「黒ブドウ−黒７−黒７」の組合せが揃ったときに入賞となり、１枚（２）は、いずれの遊技状態においても入賞ラインに「黒スイカ−黒７−黒７」の組合せが揃ったときに入賞となり、１枚（３）は、いずれの遊技状態においても入賞ラインに「白スイカ−黒７−黒７」の組合せが揃ったときに入賞となり、１枚（４）は、いずれの遊技状態においても入賞ラインに「黒オレンジ−黒７−黒７」の組合せが揃ったときに入賞となり、１枚（５）は、いずれの遊技状態においても入賞ラインに「白オレンジ−黒７−黒７」の組合せが揃ったときに入賞となる。１枚（１）〜（５）のいずれかが入賞すると、ＲＴ（０）〜（２）では１枚のメダルが払い出され、ＲＢ（ＢＢ）では１５枚のメダルが払い出される。１０枚は、いずれの遊技状態においても入賞ラインに「ベル−ベル−ベル」の組合せが揃ったときに入賞となり、ＲＴ（０）〜（２）では１０枚のメダルが払い出され、ＲＢ（ＢＢ）では１５枚のメダルが払い出される。
【００８２】
リプレイ（１）は、ＲＴ（０）〜（２）において入賞ラインに「リプレイ−リプレイ−リプレイ」の組合せが揃ったときに入賞となり、リプレイ（２）は、ＲＴ（０）〜（２）において入賞ラインに「黒７−黒７−ベル」の組合せが揃ったときに入賞となる。リプレイ（１）またはリプレイ（２）が入賞したときには、メダルの払い出しはないが次のゲームを改めて賭数を設定することなく開始できるので、次のゲームで設定不要となった賭数に対応した３枚のメダルが払い出されるのと実質的には同じこととなる。
【００８３】
ＢＢ（１）は、ＲＴ（０）（１）において入賞ラインに「黒７−黒７−黒７」の組合せが揃ったときに入賞となり、ＢＢ（２）は、ＲＴ（０）（１）において入賞ラインに「黒７−黒７−白７」の組合せが揃ったときに入賞となり、ＢＢ（３）は、ＲＴ（０）（２）において入賞ラインに「黒７−黒７−リプレイ」の組合せが揃ったときに入賞となる。
【００８４】
尚、本実施例では、後述のようにＲＴ（０）においてＢＢ（２）、ＢＢ（３）は必ず小役または再遊技役と同時に当選し、かつその際は必ず同時に当選した小役または再遊技役が入賞することとなるため、ＲＴ（０）においてＢＢ（２）となる「黒７−黒７−白７」の組合せ、ＢＢ（３）となる「黒７−黒７−リプレイ」の組合せが入賞ラインに揃うことはない。
【００８５】
ＢＢ（１）〜（３）のいずれかが入賞すると、遊技状態がＢＢに移行するとともに同時にＲＢに移行する。ＲＢは、小役の当選確率が高まるとともに、入賞時の払出枚数が多くなることによって他の遊技状態よりも遊技者にとって有利となる遊技状態であり、ＲＢが開始した後、４ゲームを消化したとき、または８ゲーム入賞（役の種類は、いずれでも可）したとき、のいずれか早いほうで終了する。ＲＢが終了した際に、ＢＢが終了していなければ、再度ＲＢに移行し、ＢＢが終了するまで繰り返しＲＢに制御される。すなわちＢＢ中は、常にＲＢに制御されることとなる。そして、ＢＢ（１）の入賞を契機とするＢＢは、当該ＢＢ中において遊技者に払い出したメダルの総数が６０枚を超えたときに終了し、ＢＢ（２）の入賞を契機とするＢＢは、当該ＢＢ中において遊技者に払い出したメダルの総数が９０枚を超えたときに終了し、ＢＢ（３）の入賞を契機とするＢＢは、当該ＢＢ中において遊技者に払い出したメダルの総数が３００枚を超えたときに終了する。ＢＢの終了時には、ＲＢの終了条件が成立しているか否かに関わらずＲＢも終了する。
【００８６】
以下、本実施例の内部抽選について説明する。内部抽選は、上記した各役への入賞を許容するか否かを、全てのリール２Ｌ、２Ｃ、２Ｒの表示結果が導出表示される以前に（実際には、スタートスイッチ７の検出時）決定するものである。内部抽選では、まず、内部抽選用の乱数（０〜６５５３５の整数）が取得される。そして、遊技状態及び特別役の持ち越しの有無に応じて定められた各役について、取得した内部抽選用の乱数と、遊技状態、賭数及び設定値に応じて定められた各役の判定値数に応じて行われる。
【００８７】
本実施例では、図６に示すように、遊技状態が、ＲＴ（０）（特別役の非持越中）であるか、ＲＴ（１）（２）（特別役の持越中）であるか、ＲＢ（ＢＢ）であるか、によって内部抽選の対象となる役が異なる。
【００８８】
遊技状態がＲＴ（０）（特別役の非持越中）であれば、１枚ＧＲ（１枚（１）＋１枚（２）＋１枚（３）＋１枚（４）＋１枚（５））、ＢＢ（１）＋１枚ＧＲ、ＢＢ（２）＋１枚ＧＲ、ＢＢ（３）＋１枚ＧＲ、１０枚、リプレイ（１）、ＢＢ（１）＋リプレイ（２）、ＢＢ（２）＋リプレイ（２）、ＢＢ（１）が内部抽選の対象役として順に読み出される。
【００８９】
遊技状態がＲＴ（１）またはＲＴ（２）（特別役の持越中）であれば、１枚ＧＲ、１０枚、リプレイ（１）、リプレイ（２）が内部抽選の対象役として順に読み出される。
【００９０】
遊技状態がＲＢ（ＢＢ）では、１枚ＧＲ、１０枚が内部抽選の対象役として順に読み出される。
【００９１】
内部抽選では、内部抽選の対象となる役、現在の遊技状態及び設定値に対応して定められた判定値数を、内部抽選用の乱数に順次加算し、加算の結果がオーバーフローしたときに、当該役に当選したものと判定される。このため、判定値数の大小に応じた確率（判定値数／６５５３６）で役が当選することとなる。
【００９２】
そして、いずれかの役の当選が判定された場合には、当選が判定された役に対応する当選フラグをＲＡＭ４１ｃに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組合せにも当選しなかった場合には、一般役格納ワークのみクリアする。
【００９３】
次に、リール２Ｌ、２Ｃ、２Ｒの停止制御について説明する。
【００９４】
メインＣＰＵ４１ａは、リールの回転が開始したとき、及びリールが停止し、かつ未だ回転中のリールが残っているときに、ＲＯＭ４１ｂに格納されているテーブルインデックス及びテーブル作成用データを参照して、回転中のリール別に停止制御テーブルを作成する。そして、ストップスイッチ８Ｌ、８Ｃ、８Ｒのうち、回転中のリールに対応するいずれかの操作が有効に検出されたときに、該当するリールの停止制御テーブルを参照し、参照した停止制御テーブルの滑りコマ数に基づいて、操作されたストップスイッチ８Ｌ、８Ｃ、８Ｒに対応するリール２Ｌ、２Ｃ、２Ｒの回転を停止させる制御を行う。
【００９５】
テーブルインデックスには、内部抽選による当選フラグの設定状態（以下、内部当選状態と呼ぶ）別に、テーブルインデックスを参照する際の基準アドレスから、テーブル作成用データが格納された領域の先頭アドレスを示すインデックスデータが格納されているアドレスまでの差分が登録されている。これにより内部当選状態に応じた差分を取得し、基準アドレスに対してその差分を加算することで該当するインデックスデータを取得することが可能となる。尚、役の当選状況が異なる場合でも、同一の制御が適用される場合においては、インデックスデータとして同一のアドレスが格納されており、このような場合には、同一のテーブル作成用データを参照して、停止制御テーブルが作成されることとなる。
【００９６】
テーブル作成用データは、停止操作位置に応じた滑りコマ数を示す停止制御テーブルと、リールの停止状況に応じて参照すべき停止制御テーブルのアドレスと、からなる。
【００９７】
リールの停止状況に応じて参照される停止制御テーブルは、全てのリールが回転しているか、左リールのみ停止しているか、中リールのみ停止しているか、右リールのみ停止しているか、左、中リールが停止しているか、左、右リールが停止しているか、中、右リールが停止しているか、によって異なる場合があり、更に、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【００９８】
停止制御テーブルは、停止操作が行われたタイミング別の滑りコマ数を特定可能なデータである。本実施例では、リールモータ３２Ｌ、３２Ｃ、３２Ｒに、１６８ステップ（０〜１６７）の周期で１周するステッピングモータを用いている。すなわちリールモータ３２Ｌ、３２Ｃ、３２Ｒを１６８ステップ駆動させることでリール２Ｌ、２Ｃ、２Ｒが１周することとなる。そして、リール１周に対して１６ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【００９９】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ設定されたテーブルである。
【０１００】
次に、停止制御テーブルの作成手順について説明すると、まず、リール回転開始時においては、そのゲームの内部当選状態に応じたテーブル作成用データの先頭アドレスを取得する。具体的には、まずテーブルインデックスを参照し、内部当選状態に対応するインデックスデータを取得し、そして取得したインデックスデータに基づいてテーブル作成用データを特定し、特定したテーブル作成用データから全てのリールが回転中の状態に対応する各リールの停止制御テーブルのアドレスを取得し、取得したアドレスに格納されている各リールの停止制御テーブルを展開して全てのリールについて停止制御テーブルを作成する。
【０１０１】
また、いずれか１つのリールが停止したとき、またはいずれか２つのリールが停止したときには、リール回転開始時に取得したインデックスデータ、すなわちそのゲームの内部当選状態に応じたテーブル作成用データの先頭アドレスに基づいてテーブル作成用データを特定し、特定したテーブル作成用データから停止済みのリール及び当該リールの停止位置の領域番号に対応する未停止リールの停止制御テーブルのアドレスを取得し、取得したアドレスに格納されている各リールの停止制御テーブルを展開して未停止のリールについて停止制御テーブルを作成する。
【０１０２】
次に、メインＣＰＵ４１ａがストップスイッチ８Ｌ、８Ｃ、８Ｒのうち、回転中のリールに対応するいずれかの操作を有効に検出したときに、該当するリールに表示結果を導出させる際の制御について説明すると、ストップスイッチ８Ｌ、８Ｃ、８Ｒのうち、回転中のリールに対応するいずれかの操作を有効に検出すると、停止操作を検出した時点のリール基準位置からのステップ数に基づいて停止操作位置の領域番号を特定し、停止操作が検出されたリールの停止制御テーブルを参照し、特定した停止操作位置の領域番号に対応する滑りコマ数を取得する。そして、取得した滑りコマ数分リールを回転させて停止させる制御を行う。具体的には、停止操作を検出した時点のリール基準位置からのステップ数から、取得した滑りコマ数引き込んで停止させるまでのステップ数を算出し、算出したステップ数分リールを回転させて停止させる制御を行う。これにより、停止操作が検出された停止操作位置の領域番号に対応する領域から滑りコマ数分先の停止位置となる領域番号に対応する領域が停止基準位置（本実施例では、透視窓３の下段図柄の領域）に停止することとなる。
【０１０３】
本実施例のテーブルインデックスには、一の遊技状態における一の内部当選状態に対応するインデックスデータとして１つのアドレスのみが格納されており、更に、一のテーブル作成用データには、一のリールの停止状況（及び停止済みのリールの停止位置）に対応する停止制御テーブルの格納領域のアドレスとして１つのアドレスのみが格納されている。すなわち一の遊技状態における一の内部当選状態に対応するテーブル作成用データ、及びリールの停止状況（及び停止済みのリールの停止位置）に対応する停止制御テーブルが一意的に定められており、これらを参照して作成される停止制御テーブルも、一の遊技状態における一の内部当選状態、及びリールの停止状況（及び停止済みのリールの停止位置）に対して一意となる。このため、遊技状態、内部当選状態、リールの停止状況（及び停止済みのリールの停止位置）の全てが同一条件となった際に、同一の停止制御テーブル、すなわち同一の制御パターンに基づいてリールの停止制御が行われることとなる。
【０１０４】
また、本実施例では、滑りコマ数として０〜４の値が定められており、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０１０５】
本実施例では、いずれかの役に当選している場合には、当選役を入賞ライン上に４コマの範囲で最大限引き込み、当選していない役が入賞ライン上に揃わないように引き込む滑りコマ数が定められた停止制御テーブルを作成し、リールの停止制御を行う一方、いずれの役にも当選していない場合には、いずれの役も揃わない滑りコマ数が定められた停止制御テーブルを作成し、リールの停止制御を行う。これにより、停止操作が行われた際に、入賞ライン上に最大４コマの引込範囲で当選している役を揃えて停止させることができれば、これを揃えて停止させる制御が行われ、当選していない役は、最大４コマの引込範囲でハズシて停止させる制御が行われることとなる。
【０１０６】
ＢＢ（１）が前ゲーム以前から持ち越されている状態で小役が当選した場合や特別役が持ち越されていない状態でＢＢ（１）と小役が同時に当選した場合など、ＢＢ（１）と小役が同時に当選している場合には、当選したＢＢ（１）を入賞ラインに４コマの範囲で最大限に引き込むように滑りコマ数が定められているとともに、当選したＢＢ（１）を入賞ラインに最大４コマの範囲で引き込めない停止操作位置については、当選した小役を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選しているＢＢ（１）を揃えて停止させることができれば、これを揃えて停止させる制御が行われ、入賞ライン上に最大４コマの引込範囲で当選しているＢＢ（１）を引き込めない場合には、入賞ライン上に最大４コマの引込範囲で当選している特別役を揃えて停止させることができれば、これを揃えて停止させる制御が行われ、当選していない役は、４コマの引込範囲でハズシて停止させる制御が行われることとなる。すなわちこのような場合には、小役よりもＢＢ（１）を入賞ライン上に揃える制御が優先され、ＢＢ（１）を引き込めない場合にのみ、小役を入賞させることが可能となる。尚、本実施例では、ＢＢ（１）の構成図柄は、リール２Ｌ、２Ｃ、２Ｒのいずれについても５図柄以内、すなわち４コマ以内の間隔で配置されており、４コマの引込範囲で必ず任意の位置に停止させることができる。このため、ＢＢ（１）と小役が同時に当選している場合には、遊技者によるストップスイッチ８Ｌ、８Ｃ、８Ｒの操作タイミングに関わらずに、必ずＢＢ（１）が揃って入賞することとなる。すなわちこのような場合には、小役よりもＢＢ（１）を入賞ライン上に揃える制御が優先され、必ずＢＢ（１）が入賞することとなる。
【０１０７】
ＢＢ（２）またはＢＢ（３）が前ゲーム以前から持ち越されている状態で小役が当選した場合や特別役が持ち越されていない状態でＢＢ（２）またはＢＢ（３）と小役が同時に当選した場合など、ＢＢ（２）またはＢＢ（３）と小役が同時に当選している場合には、当選した小役を入賞ラインに４コマの範囲で最大限に引き込むように滑りコマ数が定められているとともに、当選した小役を入賞ラインに最大４コマの範囲で引き込めない停止操作位置については、当選したＢＢ（２）またはＢＢ（３）を入賞ラインに４コマの範囲で最大限に引き込むように滑りコマ数が定められた停止制御テーブルを作成し、リールの停止制御を行う。これにより、停止操作が行われた際に、入賞ライン上に最大４コマの引込範囲で当選している小役を揃えて停止させることができれば、これを揃えて停止させる制御が行われ、入賞ライン上に最大４コマの引込範囲で当選している小役を引き込めない場合には、入賞ライン上に最大４コマの引込範囲で当選しているＢＢ（２）またはＢＢ（３）を揃えて停止させることができれば、これを揃えて停止させる制御が行われ、当選していない役は、４コマの引込範囲でハズシて停止させる制御が行われることとなる。すなわちこのような場合には、ＢＢ（２）またはＢＢ（３）よりも小役を入賞ライン上に揃える制御が優先され、小役を引き込めない場合にのみ、ＢＢ（２）またはＢＢ（３）を入賞させることが可能となる。尚、本実施例では、小役のうち１枚（１）〜（５）は必ず同時に当選し、これら１枚（１）〜（５）の構成図柄は、リール２Ｌ、２Ｃ、２Ｒのいずれについても５図柄以内、すなわち４コマ以内の間隔で配置されており、４コマの引込範囲で必ず任意の位置に停止させることができる。また、１０枚の構成図柄も、リール２Ｌ、２Ｃ、２Ｒのいずれについても５図柄以内、すなわち４コマ以内の間隔で配置されており、４コマの引込範囲で必ず任意の位置に停止させることができる。このため、ＢＢ（２）またはＢＢ（３）と小役が同時に当選している場合には、遊技者によるストップスイッチ８Ｌ、８Ｃ、８Ｒの操作タイミングに関わらずに、必ず小役が揃って入賞することとなる。すなわちこのような場合には、ＢＢ（２）またはＢＢ（３）よりも小役を入賞ライン上に揃える制御が優先され、必ず小役が入賞することとなる。
【０１０８】
特別役が前ゲーム以前から持ち越されている状態で再遊技役が当選した場合や特別役が持ち越されていない状態で特別役と再遊技役が同時に当選した場合など、特別役と再遊技役が同時に当選している場合には、停止操作が行われた際に、入賞ライン上に最大４コマの引込範囲で再遊技役の図柄を揃えて停止させる制御が行われる。尚、この場合、再遊技役を構成する図柄は、リール２Ｌ、２Ｃ、２Ｒのいずれについても５図柄以内、すなわち４コマ以内の間隔で配置されており、４コマの引込範囲で必ず任意の位置に停止させることができるので、特別役と再遊技役が同時に当選している場合には、遊技者によるストップスイッチ８Ｌ、８Ｃ、８Ｒの操作タイミングに関わらずに、必ず再遊技役が揃って入賞することとなる。すなわちこのような場合には、特別役よりも再遊技役を入賞ライン上に揃える制御が優先され、必ず再遊技役が入賞することとなる。
【０１０９】
本実施例においてメインＣＰＵ４１ａは、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０１１０】
尚、本実施例では、ストップスイッチ８Ｌ、８Ｃ、８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしても良い。この場合には、遊技者の操作を介さずにリールが停止することとなるため、例え、いずれかの役が当選している場合でもいずれの役も構成しない表示結果を導出させることが好ましい。
【０１１１】
次に、メインＣＰＵ４１ａが演出制御基板９０に対して送信するコマンドについて説明する。
【０１１２】
本実施例では、メインＣＰＵ４１ａが演出制御基板９０に対して、ＢＥＴコマンド、クレジットコマンド、内部当選コマンド、リール回転開始コマンド、リール停止コマンド、入賞判定コマンド、払出開始コマンド、払出終了コマンド、遊技状態コマンド、待機コマンド、打止コマンド、エラーコマンド、復帰コマンド、設定開始コマンド、確認開始コマンド、確認終了コマンド、操作検出コマンドを含む複数種類のコマンドを送信する。
【０１１３】
これらコマンドは、コマンドの種類を示す１バイトの種類データとコマンドの内容を示す１バイトの拡張データとからなり、サブＣＰＵ９１ａは、種類データからコマンドの種類を判別できるようになっている。
【０１１４】
ＢＥＴコマンドは、メダルの投入枚数、すなわち賭数の設定に使用されたメダル枚数を特定可能なコマンドであり、ゲーム終了後（設定変更後）からゲーム開始までの状態であり、規定数の賭数が設定されていない状態において、メダルが投入されるか、１枚ＢＥＴスイッチ５またはＭＡＸＢＥＴスイッチ６が操作されて賭数が設定されたときに送信される。また、ＢＥＴコマンドは、賭数の設定操作がなされたときに送信されるので、ＢＥＴコマンドを受信することで賭数の設定操作がなされたことを特定可能である。
【０１１５】
クレジットコマンドは、クレジットとして記憶されているメダル枚数を特定可能なコマンドであり、ゲーム終了後（設定変更後）からゲーム開始までの状態であり、規定数の賭数が設定されている状態において、メダルが投入されてクレジットが加算されたときに送信される。
【０１１６】
内部当選コマンドは、内部当選フラグの当選状況、並びに成立した内部当選フラグの種類を特定可能なコマンドであり、スタートスイッチ７が操作されてゲームが開始したときに送信される。また、内部当選コマンドは、スタートスイッチ７が操作されたときに送信されるので、内部当選コマンドを受信することでスタートスイッチ７が操作されたことを特定可能である。
【０１１７】
リール回転開始コマンドは、リールの回転の開始を通知するコマンドであり、リール２Ｌ、２Ｃ、２Ｒの回転が開始されたときに送信される。
【０１１８】
リール停止コマンドは、停止するリールが左リール、中リール、右リールのいずれかであるか、該当するリールの停止操作位置の領域番号、該当するリールの停止位置の領域番号、を特定可能なコマンドであり、各リールの停止操作に伴う停止制御が行われる毎に送信される。また、リール停止コマンドは、ストップスイッチ８Ｌ、８Ｃ、８Ｒが操作されたときに送信されるので、リール停止コマンドを受信することでストップスイッチ８Ｌ、８Ｃ、８Ｒが操作されたことを特定可能である。
【０１１９】
入賞判定コマンドは、入賞の有無、並びに入賞の種類、入賞時のメダルの払出枚数を特定可能なコマンドであり、全リールが停止して入賞判定が行われた後に送信される。
【０１２０】
払出開始コマンドは、メダルの払出開始を通知するコマンドであり、入賞やクレジット（賭数の設定に用いられたメダルを含む）の精算によるメダルの払出が開始されたときに送信される。また、払出終了コマンドは、メダルの払出終了を通知するコマンドであり、入賞及びクレジットの精算によるメダルの払出が終了したときに送信される。
【０１２１】
遊技状態コマンドは、次ゲームの遊技状態を特定可能なコマンドであり、設定変更状態の終了時及びゲームの終了時に送信される。
【０１２２】
待機コマンドは、待機状態へ移行する旨を示すコマンドであり、１ゲーム終了後、賭数が設定されずに一定時間経過して待機状態に移行するとき、クレジット（賭数の設定に用いられたメダルを含む）の精算によるメダルの払出が終了し、払出終了コマンドが送信された後に送信される。
【０１２３】
打止コマンドは、打止状態の発生または解除を示すコマンドであり、ＢＢ終了後、エンディング演出待ち時間が経過した時点で打止状態の発生を示す打止コマンドが送信され、リセット操作がなされて打止状態が解除された時点で、打止状態の解除を示す打止コマンドが送信される。
【０１２４】
エラーコマンドは、エラー状態の発生または解除、エラー状態の種類を示すコマンドであり、エラーが判定され、エラー状態に制御された時点でエラー状態の発生及びその種類を示すエラーコマンドが送信され、リセット操作がなされてエラー状態が解除された時点で、エラー状態の解除を示すエラーコマンドが送信される。
【０１２５】
復帰コマンドは、メインＣＰＵ４１が電断前の制御状態に復帰した旨を示すコマンドであり、メインＣＰＵ４１ａの起動時において電断前の制御状態に復帰した際に送信される。
【０１２６】
設定開始コマンドは、設定変更状態の開始を示すコマンドであり、設定変更状態に移行する際に送信される。また、設定変更状態への移行に伴ってメインＣＰＵ４１の制御状態が初期化されるため、設定開始コマンドによりメインＣＰＵ４１の制御状態が初期化されたことを特定可能である。
【０１２７】
確認開始コマンドは、設定確認状態の開始を示すコマンドであり、設定確認状態に移行する際に送信される。確認終了コマンドは、設定確認状態の終了を示すコマンドであり、設定確認状態の終了時に送信される。
【０１２８】
操作検出コマンドは、操作スイッチ類（１枚ＢＥＴスイッチ５、ＭＡＸＢＥＴスイッチ６、スタートスイッチ７、ストップスイッチ８Ｌ、８Ｃ、８Ｒ）の検出状態（ＯＮ／ＯＦＦ）を示すコマンドであり、一定間隔毎に送信される。
【０１２９】
これらコマンドのうち設定開始コマンド、ＲＡＭ異常を示すエラーコマンド、復帰コマンドは、起動処理において割込が許可される前の段階で生成され、ＲＡＭ４１ｃの特別ワークに割り当てられた特定コマンド送信用バッファに格納され、直ちに送信される。
【０１３０】
設定開始コマンド、ＲＡＭ異常を示すエラーコマンド、復帰コマンド、操作検出コマンド以外のコマンドは、ゲーム処理においてゲームの進行状況に応じて生成され、ＲＡＭ４１ｃの特別ワークに設けられた通常コマンド送信用バッファに一時格納され、タイマ割込処理（メイン）中に実行されるコマンド送信処理において送信される。
【０１３１】
操作検出コマンドは、コマンド送信処理が５回実行される毎に生成され、前述の特定コマンド送信用バッファに格納され、直ちに送信される。また、通常コマンド送信用バッファに未送信のコマンドが格納されている状態で操作検出コマンドの送信時期に到達した場合には、操作検出コマンドの送信を優先し、通常コマンド送信用バッファに格納されている未送信のコマンドは、次回のコマンド送信処理において送信されるようになっており、１度のコマンド送信処理において複数のコマンドが送信されることがないようになっている。
【０１３２】
次に、メインＣＰＵ４１ａが演出制御基板９０に対して送信するコマンドに基づいてサブ制御部９１が実行する演出の制御について説明する。
【０１３３】
サブＣＰＵ９１ａは、メインＣＰＵ４１ａからのコマンドの送信を示すストローブ信号を入力した際に、コマンド受信割込処理を実行する。コマンド受信割込処理では、ＲＡＭ９１ｃに設けられた受信用バッファに、コマンド伝送ラインから取得したコマンドを格納する。
【０１３４】
サブＣＰＵ９１ａは、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５４、リールＬＥＤ５５等の各種演出装置の出力制御を行う。
【０１３５】
制御パターンテーブルには、複数種類の演出パターン毎に、コマンドの種類に対応する液晶表示器５１の表示パターン、演出効果ＬＥＤ５２の点灯態様、スピーカ５４の出力態様、リールＬＥＤの点灯態様等、これら演出装置の制御パターンが登録されており、サブＣＰＵ９１ａは、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の出力制御を行う。これにより演出パターン及び遊技の進行状況に応じた演出が実行されることとなる。
【０１３６】
尚、サブＣＰＵ９１ａは、あるコマンドの受信を契機とする演出の実行中に、新たにコマンドを受信した場合には、実行中の制御パターンに基づく演出を中止し、新たに受信したコマンドに対応する制御パターンに基づく演出を実行するようになっている。すなわち演出が最後まで終了していない状態でも、新たにコマンドを受信すると、受信した新たなコマンドが新たな演出の契機となるコマンドではない場合を除いて実行していた演出はキャンセルされて新たなコマンドに基づく演出が実行されることとなる。
【０１３７】
特に、本実施例では、演出の実行中に賭数の設定操作がなされたとき、すなわちサブＣＰＵ９１ａが、賭数が設定された旨を示すＢＥＴコマンドを受信したときに、実行中の演出を中止するようになっている。このため、遊技者が、演出を最後まで見るよりも次のゲームを進めたい場合には、演出がキャンセルされ、次のゲームを開始できるので、このような遊技者に対して煩わしい思いをさせることがない。また、演出の実行中にクレジットまたは賭数の精算操作がなされたとき、すなわちサブＣＰＵ９１ａが、ゲームの終了を示す遊技状態コマンドを受信した後、ゲームの開始を示す内部当選コマンドを受信する前に、払出開始コマンドを受信した場合には、実行中の演出を中止するようになっている。クレジットや賭数の精算を行うのは、遊技を終了する場合であり、このような場合に実行中の演出を終了させることで、遊技を終了する意志があるのに、不要に演出が継続してしまわないようになっている。
【０１３８】
演出パターンは、内部当選コマンドを受信した際に、内部当選コマンドが示す内部抽選の結果に応じた選択率にて選択され、ＲＡＭ９１ｃに設定される。演出パターンの選択率は、ＲＯＭ９１ｂに格納された演出テーブルに登録されており、サブＣＰＵ９１ａは、内部当選コマンドを受信した際に、内部当選コマンドが示す内部抽選の結果に応じて演出テーブルに登録されている選択率を参照し、その選択率に応じて複数種類の演出パターンからいずれかの演出パターンを選択し、選択した演出パターンを当該ゲームの演出パターンとしてＲＡＭ９１ｃに設定するようになっており、同じコマンドを受信しても内部当選コマンドの受信時に選択された演出パターンによって異なる制御パターンが選択されるため、結果として演出パターンによって異なる演出が行われることがある。
【０１３９】
本実施例では、図７（ａ）に示すように、ＢＢ（１）〜（３）の当選フラグのいずれも持ち越されていないＲＴ（０）において、１枚ＧＲ、ＢＢ（１）＋１枚ＧＲ、ＢＢ（２）＋１枚ＧＲ、ＢＢ（３）＋１枚ＧＲ、１０枚、リプレイ（１）、ＢＢ（１）＋リプレイ（２）、ＢＢ（２）＋リプレイ（２）、ＢＢ（１）が内部抽選の対象となり、それぞれの当選確率は、設定値に関わらず、４８６３６／６５５３６、５０００／６５５３６、１００／６５５３６、４５０／６５５３６、８００／６５５３６、９０００／６５５３６、５００／６５５３６、５０／６５５３６、５００／６５５３６であり、いずれの役も当選しないハズレの確率は５００／６５５３６である。
【０１４０】
前述のように、ＢＢ（１）と小役が同時に当選した場合には、小役よりもＢＢ（１）が優先して導出されるとともに、ＢＢ（１）の構成図柄は引込範囲内となる間隔で配置されていることから、ＲＴ（０）では、上記の抽選対象役のうちＢＢ（１）＋１枚ＧＲが当選するか、ＢＢ（１）が当選した場合（図中斜線部分）には、そのゲームでＢＢ（１）が入賞することとなる。
【０１４１】
一方、ＢＢ（１）と再遊技役が同時に当選した場合には、ＢＢ（１）よりも再遊技役が優先して導出されるとともに、再遊技役の構成図柄は引込範囲内となる間隔で配置されていることから、ＲＴ（０）では、上記の抽選対象役のうちＢＢ（１）＋リプレイ（２）が当選した場合には、そのゲームでリプレイ（２）が入賞するとともに、ＢＢ（１）の当選フラグは次ゲーム以降に持ち越されてＲＴ（１）に移行する。
【０１４２】
また、ＢＢ（２）またはＢＢ（３）と小役が同時に当選した場合には、ＢＢ（２）、ＢＢ（３）よりも小役が優先して導出されるとともに、小役の構成図柄は引込範囲内となる間隔で配置されていることから、ＲＴ（０）では、上記の抽選対象役のうちＢＢ（２）＋１枚ＧＲ、ＢＢ（３）＋１枚ＧＲが当選した場合には、そのゲームで１枚（１）〜（５）のいずれかが入賞するとともに、ＢＢ（２）、ＢＢ（３）の当選フラグは次ゲーム以降に持ち越され、ＢＢ（２）の当選フラグが持ち越された場合には、ＲＴ（１）に移行し、ＢＢ（３）の当選フラグが持ち越された場合には、ＲＴ（２）に移行する。
【０１４３】
また、ＢＢ（２）と再遊技役が同時に当選した場合には、ＢＢ（２）よりも再遊技役が優先して導出されるとともに、再遊技役の構成図柄は引込範囲内となる間隔で配置されていることから、ＲＴ（０）では、上記の抽選対象役のうちＢＢ（２）＋リプレイ（２）が当選した場合には、そのゲームでリプレイ（２）が入賞するとともに、ＢＢ（２）の当選フラグは次ゲーム以降に持ち越されてＲＴ（１）に移行する。
【０１４４】
このようにＢＢ（１）〜（３）の当選フラグのいずれも持ち越されていないＲＴ（０）では、ＢＢ（１）＋１枚ＧＲ、ＢＢ（１）が当選した場合には、ＢＢ（１）が入賞するのに対して、ＢＢ（１）＋リプレイ（２）、ＢＢ（２）＋１枚ＧＲ、ＢＢ（３）＋１枚ＧＲ、ＢＢ（２）＋リプレイ（２）が当選した場合には、これら当選したＢＢ（１）〜（３）の当選フラグが次ゲーム以降に持ち越されることとなる。
【０１４５】
図７（ｂ）に示すように、ＢＢ（１）持越中のＲＴ（１）においては、特別役は抽選の対象外となり、１枚ＧＲ、１０枚、リプレイ（１）、リプレイ（２）が内部抽選の対象となり、それぞれの当選確率は、設定値に関わらず、５４１８６／６５５３６、８００／６５５３６、９１００／６５５３６、５５０／６５５３６であり、いずれの役も当選しないハズレの確率は９００／６５５３６である。ＢＢ（１）持越中のＲＴ（１）において、１枚ＧＲ、１０枚、リプレイ（２）の当選確率はＲＴ（０）と同じ確率であるが、リプレイ（１）の当選確率がＲＴ（０）よりも高くなる。
【０１４６】
ＢＢ（１）と小役が同時に当選した場合には、小役よりもＢＢ（１）が優先して導出され、ＢＢ（１）と再遊技役が同時に当選した場合には、ＢＢ（１）よりも再遊技役が優先して導出されるので、ＢＢ（１）持越中のＲＴ（１）では、上記の抽選対象役のうち１枚ＧＲ、１０枚が当選した場合またはハズレの場合には、ＢＢ（１）が入賞することとなり、リプレイ（１）、リプレイ（２）が当選した場合には、リプレイ（１）、リプレイ（２）が入賞し、ＢＢ（１）の当選フラグは持ち越されたままとなる。
【０１４７】
図７（ｃ）に示すように、ＢＢ（２）持越中のＲＴ（１）においては、ＢＢ（１）の持越中のＲＴ（１）と同じで、特別役は抽選の対象外となり、１枚ＧＲ、１０枚、リプレイ（１）、リプレイ（２）が内部抽選の対象となり、それぞれの当選確率もＢＢ（１）の持越中のＲＴ（１）と同じで、設定値に関わらず、５４１８６／６５５３６、８００／６５５３６、９１００／６５５３６、５５０／６５５３６であり、いずれの役も当選しないハズレの確率は９００／６５５３６である。ＢＢ（２）持越中のＲＴ（１）においても、１枚ＧＲ、１０枚、リプレイ（２）の当選確率はＲＴ（０）と同じ確率であり、リプレイ（１）の当選確率がＲＴ（０）よりも高くなる。
【０１４８】
ＢＢ（２）と小役または再遊技役が同時に当選した場合には、ＢＢ（２）よりも小役または再遊技役が優先して導出されるので、ＢＢ（２）持越中のＲＴ（１）では、ハズレの場合のみ、ＢＢ（２）が入賞することとなり、１枚ＧＲ、１０枚、リプレイ（１）、リプレイ（２）が当選した場合には、１枚（１）〜（５）、１０枚、リプレイ（１）、リプレイ（５）のいずれかが入賞し、ＢＢ（２）の当選フラグは持ち越されたままとなる。
【０１４９】
図７（ｄ）に示すように、ＢＢ（３）持越中のＲＴ（２）においては、ＢＢ（１）またはＢＢ（２）の持越中のＲＴ（１）と同じで、特別役は抽選の対象外となり、１枚ＧＲ、１０枚、リプレイ（１）、リプレイ（２）が内部抽選の対象となり、１枚ＧＲ、１０枚、リプレイ（２）の当選確率は、設定値に関わらず、５４１８６／６５５３６、８００／６５５３６、１５０／６５５３６であり、リプレイ（１）の当選確率は、設定値に応じて異なり、設定１：１０２５０／６５５３６、設定２：１０２２０／６５５３６、設定３：１０２００／６５５３６、設定４：１０１７０／６５５３６、設定５：１０１５０／６５５３６、設定６：１０１００／６５５３６であり、いずれの役も当選しないハズレの確率も設定値に応じて異なり、設定１：１５０／６５５３６、設定２：１８０／６５５３６、設定３：２００／６５５３６、設定４：２３０／６５５３６、設定５：２５０／６５５３６、設定６：３００／６５５３６である。すなわちＢＢ（３）持越中のＲＴ（２）では、設定値が高いほど、リプレイ（１）の当選確率が低く、その分ハズレの確率が高くなる。ＢＢ（３）持越中のＲＴ（２）においては、１枚ＧＲ、１０枚の当選確率はＲＴ（０）と同じ確率であるが、リプレイ（１）の当選確率がＲＴ（０）、ＲＴ（１）よりも高くなる。また、リプレイ（２）の当選確率は、ＲＴ（０）、ＲＴ（１）よりも低くなるが、再遊技役全体の当選確率としては、ＲＴ（０）、ＲＴ（１）よりも高くなり、ハズレの確率は、ＲＴ（１）よりも低くなる。
【０１５０】
ＢＢ（３）と小役または再遊技役が同時に当選した場合には、ＢＢ（３）よりも小役または再遊技役が優先して導出されるので、ＢＢ（３）持越中のＲＴ（２）では、ハズレの場合のみ、ＢＢ（３）が入賞することとなり、１枚ＧＲ、１０枚、リプレイ（１）、リプレイ（２）が当選した場合には、１枚（１）〜（５）、１０枚、リプレイ（１）、リプレイ（５）のいずれかが入賞し、ＢＢ（３）の当選フラグは持ち越されたままとなる。
【０１５１】
ＲＴ（０）〜（２）では、いずれも１枚ＧＲの当選確率が最も高く、１０枚、リプレイ（１）、リプレイ（２）が当選していない場合には、ほとんどのゲームで１枚（１）〜（５）のいずれかが入賞することとなるが、１枚（１）〜（５）が入賞した際に払い出されるメダルは、ゲームの開始に必要な賭数に用いるメダル数（３枚）よりも少なく、ＲＴ（０）〜（２）におけるメダルの払出率は１未満となり、メダルは減少することとなる。
【０１５２】
本実施例では、図８に示すように、ＢＢ（１）〜（３）の当選フラグのいずれも持ち越されていないＲＴ（０）においてＢＢ（１）またはＢＢ（１）＋１枚ＧＲが当選すると、そのゲームでＢＢ（１）が入賞し、ＢＢが終了すると再びＲＴ（０）に戻る。
【０１５３】
ＢＢ（１）〜（３）の当選フラグのいずれも持ち越されていないＲＴ（０）においてＢＢ（１）＋リプレイ（２）が当選すると、リプレイ（２）が入賞し、ＢＢ（１）の当選フラグは持ち越されてＲＴ（１）に移行する。
【０１５４】
ＢＢ（１）持越中のＲＴ（１）では、特別役が抽選対象外となり、再遊技役が当選した場合には、ＢＢ（１）の当選フラグが持ち越されたままとなるが、再遊技役が当選しなければ、小役が当選しているか否かに関わらずＢＢ（１）が入賞することとなるので、約１／１．２の確率でＢＢ（１）が入賞し、ＢＢが終了すると再びＲＴ（０）に戻る。
【０１５５】
ＢＢ（１）〜（３）の当選フラグのいずれも持ち越されていないＲＴ（０）においてＢＢ（２）＋１枚ＧＲまたはＢＢ（２）＋リプレイ（２）が当選すると、１枚（１）〜（５）のいずれかまたはリプレイ（２）が入賞し、ＢＢ（２）の当選フラグは持ち越されてＲＴ（１）に移行する。
【０１５６】
ＢＢ（２）持越中のＲＴ（１）では、特別役が抽選対象外となり、小役または再遊技役が当選した場合には、ＢＢ（２）の当選フラグが持ち越されたままとなり、ハズレの場合のみＢＢ（２）が入賞することとなるので、約１／７２．８の確率でＢＢ（２）が入賞し、ＢＢが終了すると再びＲＴ（０）に戻る。
【０１５７】
ＢＢ（１）〜（３）の当選フラグのいずれも持ち越されていないＲＴ（０）においてＢＢ（３）＋１枚ＧＲが当選すると、１枚（１）〜（５）のいずれかが入賞し、ＢＢ（３）の当選フラグは持ち越されてＲＴ（２）に移行する。
【０１５８】
ＢＢ（３）持越中のＲＴ（２）では、特別役が抽選対象外となり、小役または再遊技役が当選した場合には、ＢＢ（３）の当選フラグが持ち越されたままとなり、ハズレの場合のみＢＢ（２）が入賞することとなる。ハズレの確率は、設定値に応じて異なり、約１／２１８．５〜１／４３６．９の確率でＢＢ（３）が入賞し、ＢＢが終了すると再びＲＴ（０）に戻る。
【０１５９】
ＢＢ（１）〜（３）の当選フラグのいずれも持ち越されていないＲＴ（０）においては、ＢＢ（１）、ＢＢ（１）＋１枚ＧＲ、ＢＢ（１）＋リプレイ（２）、ＢＢ（２）＋１枚ＧＲ、ＢＢ（２）＋リプレイ（２）、ＢＢ（３）＋１枚ＧＲが当選した場合以外は、ＲＴ（０）が維持されることとなるため、ＲＴ（０）では、これら役の当選確率の比率に応じてその後、移行する遊技状態が異なる。
【０１６０】
ＢＢ（１）、ＢＢ（１）＋１枚ＧＲの当選確率の合算確率は約１／１１．９、ＢＢ（１）＋リプレイ（２）の当選確率は約１／１３１、ＢＢ（２）＋１枚ＧＲ、ＢＢ（２）＋リプレイ（２）の当選確率の合算確率は約１／４３６．９、ＢＢ（３）＋１枚ＧＲの当選確率は約１／１４５．６であり、ＲＴ（０）においてＢＢ（１）がそのゲームで入賞する比率は約８３．３％、ＢＢ（１）持越中のＲＴ（１）へ移行する比率は約７．６％、ＢＢ（２）持越中のＲＴ（１）へ移行する比率は約２．３％、ＢＢ（３）持越中のＲＴ（２）へ移行する比率は約６．８％となる。
【０１６１】
そして、ＲＴ（０）においてＢＢ（１）（ＢＢ（１）、ＢＢ（１）＋１枚ＧＲ、ＢＢ（１）＋リプレイ（２））が当選した場合には、ほとんどが当選したゲームか、次のゲームでＢＢ（１）が入賞して再び特別役が抽選対象となるＲＴ（０）に戻ることとなるが、ＲＴ（０）においてＢＢ（２）（ＢＢ（２）＋１枚ＧＲ、ＢＢ（２）＋リプレイ（２））やＢＢ（３）（ＢＢ（３）＋１枚ＧＲ）が当選した場合には、小役や再遊技役の当選確率よりも確率の低いハズレ（ＢＢ（２）の当選時には約１／７２．８、ＢＢ（３）の当選時には約１／２１８．５〜１／４３６．９）となるまでは、当選したＢＢ（２）、ＢＢ（３）を入賞させることができず、かつ特別役の抽選を受けることもできない状態が維持されることとなる。
【０１６２】
このため、ＲＴ（０）では、約９０．９％の比率でＢＢの入賞確率の高い高確率状態がループし、約９．１％の比率でＢＢの入賞確率の低い低確率状態に移行することとなり、低確率状態は、ＢＢが入賞することで終了することとなる。
【０１６３】
また、ＲＴ（０）においてＢＢ（２）が当選した場合でもＢＢ（３）が当選した場合でもＢＢの入賞確率の低い低確率状態に移行することとなるが、ＢＢ（２）が当選した際に移行するＲＴ（１）とＢＢ（３）が当選した際に移行するＲＴ（２）では、当選したＢＢが入賞することとなるハズレの確率が異なり、ＲＴ（０）においてＢＢ（２）が当選した方が、ＢＢ（３）が当選した場合よりは、ＢＢの入賞確率は高い。
【０１６４】
このように本実施例のスロットマシン１では、ＢＢ（１）〜（３）の当選フラグのいずれも持ち越されていないＲＴ（０）において、ＢＢ（１）が当選した場合には、ほとんどの場合、当選したゲームでＢＢ（１）が入賞し、当選したゲームでＢＢ（１）が入賞しない場合でも、その後のゲームで高確率でＢＢ（１）が入賞するのに対して、ＢＢ（２）またはＢＢ（３）が当選した場合には、当選したゲームでＢＢ（２）またはＢＢ（３）が入賞することはなく、次ゲーム以降に持ち越される。そしてＢＢ（２）またはＢＢ（３）の当選フラグが持ち越されているＲＴ（１）またはＲＴ（２）では、ハズレよりも高い確率で小役や再遊技役が当選するとともに、ＢＢ（２）またはＢＢ（３）の当選フラグの持越中に小役や再遊技役が当選した場合には、当選した小役または再遊技役が優先して導出され、ＢＢ（２）やＢＢ（３）が当選しても、その後、小役や再遊技役が当選したゲームではＢＢ（２）、ＢＢ（３）を入賞させることが不可能となるため、ＢＢ（２）、ＢＢ（３）が当選しても、その後ＢＢ（２）、ＢＢ（３）が入賞する確率を制限することができる。さらにＢＢ（２）またはＢＢ（３）の当選フラグが持ち越されているＲＴ（１）、ＲＴ（２）では、新たにＢＢ（１）〜（３）が当選することがないので、内部抽選によるＢＢ（１）〜（３）の当選確率を変化させることなく、ＢＢが入賞する確率の低い期間と、ＢＢが入賞する確率の高い期間と、を設けることができる。
【０１６５】
本実施例では、ＲＴ（０）においてＢＢ（２）またはＢＢ（３）が当選する場合に、ＢＢ（２）、ＢＢ（３）よりも優先して導出される小役または再遊技役と必ず同時に当選するとともに、ＢＢ（２）またはＢＢ（３）と同時に当選する小役、再遊技役が当選した場合には、停止操作のタイミングに関わらず必ず当選した小役または再遊技役が入賞し、同時に当選したＢＢ（２）またはＢＢ（３）が入賞することはなく、必ず次ゲーム以降に持ち越され、ＢＢの低確率状態に移行することとなるので、ＲＴ（０）においてＢＢ（２）、ＢＢ（３）が当選した場合には、確実にＢＢの入賞確率が低い状態に移行させることができる。
【０１６６】
また、ＢＢ（２）、ＢＢ（３）の当選フラグが持ち越されている場合には、ＢＢ（１）〜（３）の当選フラグのいずれも持ち越されていないＲＴ（０）よりも再遊技役、すなわちＢＢ（２）、ＢＢ（３）よりも優先して導出される役の当選確率が高いＲＴ（１）またはＲＴ（２）に移行するため、ＢＢ（２）、ＢＢ（３）においてＢＢが入賞する確率をさらに低くすることができ、高確率状態と低確率状態とでＢＢが入賞する確率の差をより明確に出すことができる。
【０１６７】
特に、ＢＢ（２）、ＢＢ（３）の当選フラグが持ち越されてＲＴ（１）、ＲＴ（２）に移行すると、ＢＢ（１）〜（３）が抽選対象外となるが、ＲＴ（０）よりも再遊技役の当選確率が高まることによって、抽選対象から特別役の単独当選が外れることに伴うハズレ確率、すなわちＢＢ（２）、ＢＢ（３）を入賞させることが可能となる確率の増加を制限することができる。
【０１６８】
さらに、最もＢＢの入賞確率の低いＲＴ（２）では、ＲＴ（０）において特別役が単独で当選する確率分以上に再遊技役の当選確率が高くなるため、ＢＢ（２）、ＢＢ（３）を入賞させることが可能となる確率の増加が確実に制限されることとなり、ＢＢの高確率状態と最もＢＢの入賞確率の低い低確率状態とでＢＢの入賞確率の差をさらに広げることができる。
【０１６９】
本実施例では、ＢＢ（２）やＢＢ（３）が小役と同時に当選した場合に、ＢＢ（２）、ＢＢ（３）よりも小役が優先して導出されるのに対して、ＢＢ（１）と小役が同時に当選した場合には、小役よりもＢＢ（１）が優先して導出されるようになっており、ＲＴ（０）においてＢＢ（１）と小役が同時に当選した場合にはＢＢ（１）が入賞し、ＢＢ（１）とリプレイ（２）が同時に当選し、ＢＢ（１）の当選フラグが持ち越されてＲＴ（１）に移行しても、その後、小役が当選した際にＢＢ（１）が入賞することとなるので、ＢＢ（１）が当選した後、入賞するまでの期間が短くなり、ＢＢの高確率状態と低確率状態とでＢＢの入賞確率の差をより明確に出すことができる。
【０１７０】
また、ＢＢ（１）の構成図柄は、いずれのリールにおいても引込範囲内に配置されており、ＢＢ（１）が入賞可能なゲーム（ＢＢ（１）の単独当選またはＢＢ（１）と小役の同時当選（ＢＢ（１）の持越中の小役当選を含む））では、リールの停止順や停止操作のタイミングに関わらず、必ずＢＢ（１）が入賞するので、ＢＢ（１）が当選した後、入賞するまでの期間がさらに短くなり、ＢＢの高確率状態と低確率状態とでＢＢの入賞確率の差をより一層明確に出すことができる。尚、本実施例では、ＢＢ（１）が入賞可能なゲームにおいてリールの停止順や停止操作のタイミングに関わらず、必ずＢＢ（１）が入賞する構成であるが、予め定められた特定の停止順で停止操作がなされたことを条件に、停止操作のタイミングに関わらず、必ずＢＢ（１）が入賞する構成であっても、入賞条件となる停止順が変わらないものであれば、上記と同様の効果を得られる。
【０１７１】
また、ＲＴ（０）においては、ＢＢ（１）よりも優先されるリプレイ（２）と同時当選する比率よりも、ＢＢ（１）が単独で当選するか、ＢＢ（１）の方が優先される小役ＧＲと同時当選する比率が高いので、ＢＢ（１）が当選した後、入賞するまでの期間がさらに短くなり、ＢＢの高確率状態と低確率状態とでＢＢの入賞確率の差をより一層明確に出すことができる。
【０１７２】
また、ＲＴ（０）においては、入賞確率の高いＢＢ（１）の当選確率が、入賞確率の低いＢＢ（２）、ＢＢ（３）の当選確率よりも高く、一度ＢＢ（１）〜（３）のいずれかに入賞すると、その後、ＢＢ（２）、ＢＢ（３）が当選して低確率状態へ移行するよりも前に、ＢＢ（１）が再び入賞する割合が高くなるため、低確率状態へ移行するまでは、短期間にＢＢを連続して入賞させることが可能となる。
【０１７３】
本実施例では、ＢＢ（２）またはＢＢ（３）の当選フラグが持ち越されている状態において、いずれの役も当選しないハズレよりも高い確率でメダルの払出を伴う１枚（１）〜（５）の入賞を許容する１枚ＧＲが当選することで、ＢＢ（２）またはＢＢ（３）の入賞が不可能となるので、持越中のＢＢ（２）、ＢＢ（３）を入賞させることができない場合でも小役が入賞してメダルが払い出されることとなり、持越中のＢＢの入賞が不可能となっても遊技者に対して与える損失感を軽減することができる。
【０１７４】
また、１枚ＧＲにより入賞が許容される１枚（１）〜（５）が入賞しても払い出されるメダル数は１枚であり、ゲームを開始するのに必要な賭数を設定するのに用いるメダル数（ＲＴ（０）〜（２）では３枚）未満となるため、ＢＢ（２）、ＢＢ（３）の当選フラグが持ち越されている状態では、ＢＢ（２）、ＢＢ（３）の入賞を不可能とするためにメダルの払出を伴う小役を入賞させつつ、メダルを消費させること、すなわち遊技者所有のメダルを減少させることができるので、ＢＢの低確率状態が遊技者にとって有利となってしまうことがない。
【０１７５】
また、ＢＢ（２）、ＢＢ（３）の当選フラグが持ち越されている場合だけでなく、ＢＢ（１）〜（３）の当選フラグのいずれも持ち越されていない場合でも、いずれの役も当選しないハズレよりも高い確率でメダルの払出を伴う１枚（１）〜（５）の入賞を許容する１枚ＧＲが当選するので、１枚（１）〜（５）の入賞頻度からＢＢ（２）またはＢＢ（３）の当選フラグが持ち越されているか否かを判別することも困難にできるので、ＲＴ（０）においてＢＢ（２）またはＢＢ（３）が当選してもしばらくは、ＲＴ（０）、すなわちＢＢの高確率状態に対する遊技者の期待感を維持することができる。
【０１７６】
本実施例では、ＢＢ（２）、ＢＢ（３）の当選フラグの持越中において、ＢＢ（２）、ＢＢ（３）が入賞可能となる条件が成立したにも関わらず、ＢＢ（２）、ＢＢ（３）を入賞させることができなかった場合、再びハズレとなるまでＢＢ（２）、ＢＢ（３）を入賞させることができなくなり、遊技者の技量が低い場合には、低確率状態におけるＢＢの入賞確率が極端に低くなってしまうこととなるが、ＢＢ（２）、ＢＢ（３）の構成図柄は、いずれのリールにおいても引込範囲内に配置されており、ＢＢ（２）、ＢＢ（３）が入賞可能なゲーム（ＢＢ（２）、ＢＢ（３）の当選フラグの持越中のハズレ）では、リールの停止順や停止操作のタイミングに関わらず、必ずＢＢ（２）、ＢＢ（３）が入賞するので、ＢＢ（２）、ＢＢ（３）の当選フラグの持越中において、ＢＢ（２）、ＢＢ（３）が入賞可能となる条件が成立したにも関わらず、ＢＢ（２）、ＢＢ（３）を入賞させることができないことによって遊技者に対して極端に不利益となってしまうことを防止できる。尚、本実施例では、ＢＢ（２）、（３）の入賞可能なゲームにおいてリールの停止順や停止操作のタイミングに関わらず、必ずＢＢ（２）、（３）が入賞する構成であるが、予め定められた特定の停止順で停止操作がなされたことを条件に、停止操作のタイミングに関わらず、必ずＢＢ（２）、（３）が入賞する構成であっても、入賞条件となる停止順が変わらないものであれば、上記と同様の効果を得られる。
【０１７７】
本実施例では、ＲＴ（０）においてＢＢ（２）が当選した場合でもＢＢ（３）が当選した場合でもＢＢの入賞確率の低い低確率状態に移行することとなるが、ＢＢ（２）が当選した際に移行するＲＴ（１）とＢＢ（３）が当選した際に移行するＲＴ（２）では、再遊技役の当選確率が異なることによって、当選したＢＢが入賞することとなるハズレの確率が異なり、ＲＴ（０）においてＢＢ（２）が当選した方が、ＢＢ（３）が当選した場合よりもＢＢの入賞確率は高くなる。このため、同じＢＢの低確率状態であっても、当選しているＢＢの種類に応じて入賞確率に変化を持たせることができる。
【０１７８】
また、当選後、入賞確率の高いＢＢ（１）よりも当選後、入賞確率の低いＢＢ（２）、ＢＢ（３）の方がＢＢ中に獲得が期待できるメダル数が多いので、ＢＢの終了後、ＢＢ（２）、ＢＢ（３）が当選してＢＢの低確率状態へ移行してもより多くのメダルの獲得が期待できることから、ゲームを継続しようとする遊技者の意欲を高めることができる。特に、ＢＢの入賞確率がＢＢ（２）よりもさらに低いＢＢ（３）の方がＢＢ（２）よりも多くのメダルの獲得が期待できるので、長期間にわたりＢＢが入賞しない状態が継続した場合であっても、ゲームを継続しようとする遊技者の意欲を維持することができる。
【０１７９】
また、ＲＴ（０）においてＢＢ（１）〜（３）のうちＢＢ（１）とＢＢ（２）のみがリプレイ（２）と同時当選するとともに、ＢＢ（２）と同時当選する比率よりもＢＢ（１）と同時当選する比率の方が高く、ＢＢの終了後、リプレイ（２）が入賞することで、次ゲームにおいてＢＢ（１）が入賞する可能性が高まり、ＢＢの高確率状態が継続することへの期待感を高めることができる。
【０１８０】
また、リプレイ（２）の入賞後、ＢＢ（１）が入賞しない場合でも、ＢＢ（２）持越中のＲＴ（１）、すなわちＢＢ（３）持越中のＲＴ（２）よりもＢＢの入賞確率の高い状態であることが確定するため、ＢＢの高確率状態へ移行することへの期待感を高めることができる。
【０１８１】
尚、本実施例では、ＲＴ（０）においてＢＢ（１）〜（３）のうちＢＢ（１）とＢＢ（２）のみがリプレイ（２）と同時当選する構成であるが、ＢＢ（１）〜（３）のいずれにおいてもリプレイ（２）と同時当選する構成であっても良く、この場合には、ＢＢ（２）、ＢＢ（３）のうちＢＢ（２）と同時当選する比率を高めることで、リプレイ（２）の入賞後、ＢＢ（１）が入賞しない場合でも、ＢＢ（２）持越中のＲＴ（１）、すなわちＢＢ（３）持越中のＲＴ（２）よりもＢＢの入賞確率の高い状態である可能性が高まるため、ＢＢの高確率状態へ移行することへの期待感を高めることができる。
【０１８２】
また、ＢＢ（３）持越中のＲＴ（２）よりもＢＢの入賞確率の高いＢＢ（２）持越中のＲＴ（１）の方がリプレイ（２）の当選確率が高いので、ＢＢの低確率状態であっても、リプレイ（２）が入賞することで、ＢＢ（２）持越中のＲＴ（１）に滞在している可能性が高まるため、近いうちにＢＢの高確率状態へ移行することへの期待感を高めることができる。
【０１８３】
また、リプレイ（２）の左、中リールの構成図柄は、ＢＢ（１）〜（３）の構成図柄と同じ図柄であり、リプレイ（２）が当選している場合であっても、右リールが停止するまでは、ＢＢ（１）〜（３）のいずれかが入賞することへの期待感を高めることができる。
【０１８４】
また、本実施例のサブＣＰＵ９１ａは、ＲＴ（０）〜（２）において特定演出を実行する。特定演出は、ＲＴ（０）において最も実行確率が高く、ＲＴ（１）、ＲＴ（２）のうちＲＴ（１）の方が実行確率が高い。このため、特定演出が実行されることにより、ＢＢの高確率状態に滞在している可能性が高く、ＢＢが入賞することへの期待感を高めることができるとともに、高確率状態の滞在がほぼ否定されていても、持越中のＲＴ（１）に滞在している可能性が高まるため、近いうちにＢＢの高確率状態へ移行することへの期待感を高めることができる。
【０１８５】
また、本実施例のサブＣＰＵ９１ａは、１枚（１）〜（５）以外の小役が入賞したときに、小役に入賞した旨を示す小役入賞演出（例えば、メダル払出音の出力や小役が揃った入賞ラインの装飾演出）を実行するのに対して、１枚（１）〜（５）が入賞したときに、小役入賞演出を実行しないようになっており、最も当選確率が高いが、実質的にメダルが減少する１枚（１）〜（５）の入賞よりも実質的にメダルが増加する他の小役入賞を際立たせることが可能となり、また、演出頻度を適度な頻度に保つことができる。
【０１８６】
以上、本発明の実施例を図面により説明してきたが、本発明はこの実施例に限定されるものではなく、本発明の主旨を逸脱しない範囲における変更や追加があっても本発明に含まれることは言うまでもない。
【０１８７】
例えば、前記実施例では、ＢＢ（１）と小役が同時当選した場合、小役よりもＢＢ（１）を優先して導出する構成であり、ＲＴ（０）においてＢＢ（１）と小役が同時当選する構成であったが、ＢＢ（１）と小役が同時当選した場合に、ＢＢ（２）やＢＢ（３）と同様にＢＢ（１）よりも小役を優先して導出する構成としても良く、この場合には、ＲＴ（０）においてＢＢ（１）を小役と同時当選する確率よりもＢＢ（１）が単独で当選する確率が高い方が好ましく、ＢＢ（１）全てが単独で当選することがより好ましい。このようにすることで、ＢＢ（１）よりも小役を優先して導出する構成であっても、ＢＢ（１）の入賞確率を高めることができる。
【０１８８】
また、ＢＢ（１）を小役と同時当選する確率よりもＢＢ（１）が単独で当選する確率が高い構成としたり、ＢＢ（１）全てが単独で当選する構成とした場合には、ＲＴ（０）においてＢＢ（１）が単独当選する確率が高くなり、ＢＢ（２）、ＢＢ（３）持越中におけるハズレの確率、すなわちＢＢ（２）やＢＢ（３）の入賞確率が高まってしまうこととなるが、ＢＢ（２）、ＢＢ（３）持越中の再遊技役の当選確率を高めることにより、ＢＢ（２）、ＢＢ（３）持越中のハズレ確率を抑えることで、ＢＢ（１）が当選した場合と、ＢＢ（２）、ＢＢ（３）が当選した場合とで入賞確率に明確な差を出すことができる。
【０１８９】
前記実施例では、ＲＴ（０）においてＢＢ（２）、ＢＢ（３）が、ＢＢ（２）、ＢＢ（３）よりも優先して導出される小役または再遊技役と必ず同時当選し、ＲＴ（０）においてＢＢ（２）、ＢＢ（３）が当選した際に、ＢＢ（２）、ＢＢ（３）は入賞せず、必ず持ち越される構成であるが、ＢＢ（２）、ＢＢ（３）の一部が単独当選することで、ＲＴ（０）においてＢＢ（２）、ＢＢ（３）が当選した場合に、その一部については、入賞できる構成としても良い。
【０１９０】
前記実施例では、ＲＴ（０）においてＢＢ（２）は小役または再遊技役と同時当選し、ＢＢ（３）は、小役のみと同時当選する構成であるが、ＢＢ（２）が小役または再遊技役の一方とのみ同時当選する構成であっても良いし、ＢＢ（３）が再遊技役とのみ同時当選する構成、ＢＢ（３）が小役または再遊技役と同時当選する構成でも良い。
【０１９１】
前記実施例では、ＲＴ（０）においてＢＢ（２）、ＢＢ（３）を、ＢＢ（２）、ＢＢ（３）よりも優先して導出される小役または再遊技役と同時当選させることで、ＲＴ（０）においてＢＢ（２）、ＢＢ（３）が当選した際に、ＢＢ（２）、ＢＢ（３）の入賞を制限しているが、例えば、ＢＢ（２）やＢＢ（３）のように持越中の入賞確率が低い複数種類の第１のＢＢと第２のＢＢとを備え、少なくともいずれか１のリールにおいて第１のＢＢの構成図柄と第２のＢＢの構成図柄とを異なる図柄とし、かつ第１のＢＢの構成図柄と第２のＢＢの構成図柄とを引込範囲を超えて配置することにより持越中の入賞確率が低い第１のＢＢ及び第２のＢＢの入賞を制限するようにしても良く、このような構成とした場合には、ＲＴ（０）において第１のＢＢまたは第２のＢＢが単独で当選した場合でも、遊技者からはどちらのＢＢが当選したかを判別することはできず、かつどちらのＢＢも入賞させることができる共通の操作手順は存在しないことから、これらＢＢを確実に入賞させることはできないため、ＲＴ（０）において第１のＢＢまたは第２のＢＢが当選した場合に、これら第１のＢＢ、第２のＢＢの入賞を制限できるうえに、遊技者が選択した操作手順が当選したＢＢの入賞条件を満たすことでＲＴ（０）において当選した第１のＢＢまたは第２のＢＢを入賞させることも可能となる。
【０１９２】
前記実施例では、ＲＴ（０）においてＢＢ（２）、ＢＢ（３）と小役が同時当選した場合に、必ず小役が入賞し、ＢＢ（２）、ＢＢ（３）が入賞不可能となる構成であるが、ＲＴ（０）においてＢＢ（２）、ＢＢ（３）と小役が同時当選した場合に、操作手順が入賞条件を満たすことでＢＢ（２）、ＢＢ（３）が入賞可能な構成であっても良い。この場合には、ＢＢ（２）、ＢＢ（３）と同時当選する小役の種類によって入賞条件を満たす操作手順が異なることが好ましく、このような構成とすることでＲＴ（０）においてＢＢ（２）、ＢＢ（３）が当選した際に、その入賞を制限することができる。
【０１９３】
前記実施例では、ＢＢ（２）、ＢＢ（３）の当選フラグが持ち越された場合に、ＢＢ（２）、ＢＢ（３）の当選フラグが持ち越される前よりも再遊技役の当選確率を高めることにより、ＢＢ（２）、ＢＢ（３）の当選フラグ持越後のハズレ、すなわちＢＢの入賞確率を低く制限していたが、図９に示すように、ＢＢ持越前と、ＢＢ持越後で再遊技役の当選確率が変わらないようにしても良い。
【０１９４】
この場合には、ＢＢ（１）と小役が同時当選した場合に、小役よりもＢＢ（１）を優先して導出させ、ＢＢ（２）と小役が同時当選した場合に、ＢＢ（２）よりも小役を優先して導出させるとともに、図９（ａ）に示すように、ＢＢの当選フラグ非持越中においては、ＢＢ（１）、ＢＢ（２）が必ず小役（または再遊技役）と同時当選し、単独では当選しない構成とすることで、図９（ｂ）に示すように、ＢＢの当選フラグ非持越中に比べてＢＢ（２）の当選フラグ持越中にハズレ確率（図９（ｂ）中の斜線部分）、すなわちＢＢ（２）の入賞確率が高くなってしまうことがない。
【０１９５】
前記実施例では、ＢＢ（１）、ＢＢ（２）の当選フラグが持ち越された場合に、ＲＴ（０）よりも再遊技役の当選確率の高いＲＴ（１）へ移行する構成であるが、ＢＢ（３）の当選フラグが持ち越された場合のみＲＴ（０）よりも再遊技役の当選確率が高いＲＴ（２）に移行し、ＢＢ（１）、ＢＢ（２）の当選フラグが持ち越された場合に、再遊技役の当選確率が変化しない構成としても良い。
【０１９６】
前記実施例では、ＢＢ（１）の当選フラグが持ち越された場合でも、ＢＢ（２）の当選フラグが持ち越された場合でも、再遊技役の当選確率が同じＲＴ（１）へ移行する構成であるが、ＢＢ（１）の当選フラグが持ち越された場合とＢＢ（２）の当選フラグが持ち越された場合とで、再遊技役の当選確率が異なる構成としても良い。
【０１９７】
前記実施例では、ＲＴ（２）において、ＲＴ（０）においてＢＢ（１）が単独当選する確率分以上、再遊技役の当選確率が高くなり、ハズレが制限される構成であるが、ＲＴ（１）のように、ＢＢ（１）が単独当選する確率の一部の確率分のみ再遊技役の当選確率を高くして、ハズレを制限する構成としても良い。
【０１９８】
前記実施例では、ＲＴ（０）において当選した場合にＢＢの入賞確率の低い低確率状態へ移行するＢＢとして、ＢＢ（２）、ＢＢ（３）の２種類が定められており、どちらが当選したかに応じて、その後のＢＢの入賞確率が異なる構成であるが、ＲＴ（０）において当選した場合にＢＢの入賞確率の低い低確率状態へ移行するＢＢとして、３種類以上のＢＢを定め、どの種類のＢＢが当選したかに応じて、その後のＢＢの入賞確率がそれぞれ異なる構成としても良い。また、ＲＴ（０）において当選した場合にＢＢの入賞確率の低い低確率状態へ移行するＢＢを１種類としても良い。
【０１９９】
前記実施例では、ＢＢ（１）〜（３）の構成図柄が全てのリールにおいて引込範囲内に配置されており、これらＢＢ（１）〜（３）が入賞可能なゲームでは、リールの停止順、停止操作のタイミングに関わらず、必ず入賞する構成であるが、これら（１）〜（３）の構成図柄が引込範囲を超えて配置され、ＢＢ（１）〜（３）が入賞可能なゲームであっても、引込範囲外のタイミングで停止操作がなされた場合には入賞しない構成としても良い。
【０２００】
前記実施例では、ＢＢ（１）〜（３）のうちＢＢ（１）が当選した場合には、高い確率でＢＢに入賞し、ＢＢ（２）、ＢＢ（３）が当選した場合には、ＢＢの入賞確率が低い状態となる構成であるが、ＢＢの種類に関わらず、小役または再遊技役と同時当選した場合には、小役または再遊技役を導出させるとともに、ＢＢの非持越中において、ＢＢの一部については、小役または再遊技役と同時当選し、一部については単独当選する構成とすることで、単独当選した場合には、当選したＢＢを入賞させることが可能であり、小役または再遊技役と同時当選した場合には、ＢＢの入賞確率が低い状態となるようにしても良い。
【０２０１】
このような構成では、ＢＢが小役または再遊技役と同時当選する確率よりもＢＢが単独当選する確率を高くすることで、短期間でＢＢを連続して入賞させることが可能となる。また、この場合には、ＢＢと小役または再遊技役とが同時当選し、ＢＢが持ち越された場合には、再遊技役の当選確率を高めることにより、ハズレ、すなわちＢＢが入賞可能となる確率を低くすることが好ましく、このようにすることで、ＢＢの高確率状態とＢＢの低確率状態との差を明確にできる。
【０２０２】
前記実施例では、メダル並びにクレジットを用いて賭数を設定するスロットマシンを用いているが、本発明はこれに限定されるものではなく、遊技球を用いて賭数を設定するスロットマシンや、クレジットのみを使用して賭数を設定する完全クレジット式のスロットマシンであっても良い。
【０２０３】
更に、流路切替ソレノイド３０や投入メダルセンサ３１など、メダルの投入機構に加えて、遊技球の取込を行う球取込装置、球取込装置により取り込まれた遊技球を検出する取込球検出スイッチを設けるとともに、ホッパーモータ３４ｂや払出センサ３４ｃなど、メダルの払出機構に加えて、遊技球の払出を行う球払出装置、球払出装置により払い出された遊技球を検出する払出球検出スイッチを設け、メダル及び遊技球の双方を用いて賭数を設定してゲームを行うことが可能であり、かつ入賞の発生によってメダル及び遊技球が払い出されるスロットマシンに適用しても良い。
【符号の説明】
【０２０４】
１  スロットマシン
２Ｌ、２Ｃ、２Ｒ  リール
７  スタートスイッチ
８Ｌ、８Ｃ、８Ｒ  ストップスイッチ
４１  メイン制御部
４１ａ  メインＣＰＵ
４１ｂ  ＲＯＭ
４１ｃ  ＲＡＭ
４１ｄ  Ｉ／Ｏ
【図１】
2010240074.tif 000003
【図２】
2010240074.tif 000004
【図３】
2010240074.tif 000005
【図４】
2010240074.tif 000006
【図５】
2010240074.tif 000007
【図６】
2010240074.tif 000008
【図７】
2010240074.tif 000009
【図８】
2010240074.tif 000010
【図９】
2010240074.tif 000011